(57)【要約】  本発明は、アップリンク伝送のプライマリー・コンポーネント・キャリアのハンドオーバー及びその制御方法、装置、基地局及びＵＥを開示し、使得ＵＥのアップリンク伝送のプライマリー・コンポーネント・キャリアが、ＵＥのためサービスを提供する複数の異なるセルの間でハンドオーバーすることができるようになり、ＵＥのアップリンク伝送のプライマリー・コンポーネント・キャリアが、柔軟に伝送できるようになり、伝送電力及びＵＥサービスの伝送要求両方に気を配ることができる。前記アップリンク伝送のプライマリー・コンポーネント・キャリアのハンドオーバー制御方法は、ＵＥのために設定した、前記ＵＥにサービスを提供するセル集合の伝送リソースを決定するステップであって、前記ＵＥのアップリンク伝送のプライマリー・コンポーネント・キャリアの、異なる対応のセルのアップリンク伝送キャリアの間のハンドオーバーを実現するための、複数のセルのアップリンク伝送キャリアの割り当てリソースが含まれる前記決定ステップと、前記セル集合の伝送リソースを前記ＵＥ通知するステップとを備える。
2017526301.tif 000002
【特許請求の範囲】
【請求項１】
ＵＥのために設定した、前記ＵＥにサービスを提供するセル集合の伝送リソースを決定するステップであって、前記ＵＥのアップリンク伝送のプライマリー・コンポーネント・キャリアの、異なる対応のセルのアップリンク伝送キャリアの間のハンドオーバーを実現するための、複数のセルのアップリンク伝送キャリアの割り当てリソースが含まれる前記決定ステップと、
前記セル集合の伝送リソースを前記ＵＥに通知するステップと
を備えることを特徴とするアップリンク伝送のプライマリー・コンポーネント・キャリアのハンドオーバー制御方法。
【請求項２】
各々セルのアップリンク伝送キャリアの割り当てリソースは、
ＣＢＲＡリソースと、専用スケジューリングリクエスト（Ｄ−ＳＲ）リソースと、ＰＵＣＣＨリソースとを含む
ことを特徴とする請求項１に記載のアップリンク伝送のプライマリー・コンポーネント・キャリアのハンドオーバー制御方法。
【請求項３】
前記ＵＥにアップリンク伝送のプライマリー・コンポーネント・キャリアをハンドオーバーするように通知するステップ
をさらに備えることを特徴とする請求項１に記載のアップリンク伝送のプライマリー・コンポーネント・キャリアのハンドオーバー制御方法。
【請求項４】
前記ＵＥにアップリンク伝送のプライマリー・コンポーネント・キャリアをハンドオーバーするように通知するステップにおいて、
階層３、階層２または階層１の命令により、前記ＵＥに、特定のセルのアップリンク伝送キャリアを選択してアップリンク伝送のプライマリー・コンポーネント・キャリアとすることを通知するか、または、
階層３、階層２または階層１の命令により、前記ＵＥに、アップリンク伝送のプライマリー・コンポーネント・キャリアのサブフレームの構成情報を通知し、ここで、アップリンク伝送のプライマリー・コンポーネント・キャリアに対応するセルとサブフレームの対応関係が含まれるか、または、
前記ＵＥのアップリンク伝送のプライマリー・コンポーネント・キャリアとする現行セカンダリセルのアップリンク伝送キャリアの割り当てリソースを非活性化することにより、プライマリーセルのアップリンク伝送キャリアをアップリンク伝送のプライマリー・コンポーネント・キャリアとすることを、前記ＵＥに指示する
ことを特徴とする請求項３に記載のアップリンク伝送のプライマリー・コンポーネント・キャリアのハンドオーバー制御方法。
【請求項５】
階層３の命令により、前記ＵＥに、特定のセルのアップリンク伝送キャリアを選択してアップリンク伝送のプライマリー・コンポーネント・キャリアとすることを通知する場合、前記階層３の命令には、前記特定のセルのアップリンク伝送キャリアの割り当てリソースがさらに含まれる
ことを特徴とする請求項４に記載のアップリンク伝送のプライマリー・コンポーネント・キャリアのハンドオーバー制御方法。
【請求項６】
前記ＵＥのためにアップリンク伝送キャリアの割り当てリソースを提供するセＵＥのルの数は、大なりイコール前記ＵＥの実際のアップリンク伝送に採用されるアップリンク伝送キャリアに対応するセルの数の最大値である
ことを特徴とする請求項５に記載のアップリンク伝送のプライマリー・コンポーネント・キャリアのハンドオーバー制御方法。
【請求項７】
前記ＵＥのために設定した、前記ＵＥにサービスを提供するセル集合の伝送リソースを決定する前、前記方法は、アップリンク伝送のプライマリー・コンポーネント・キャリアのハンドオーバー容量をサポートする前記ＵＥの容量情報を、受信するステップをさらに備え、
前記ＵＥのために設定した、前記ＵＥにサービスを提供するセル集合の伝送リソースを決定するステップは、前記ＵＥから報告された前記容量情報に基づいて、前記ＵＥのために設定した、前記ＵＥにサービスを提供するセル集合の伝送リソースを決定するステップである
ことを特徴とする請求項１ないし請求項５のいずれか１項に記載のアップリンク伝送のプライマリー・コンポーネント・キャリアのハンドオーバー制御方法。
【請求項８】
ＵＥが、ネットワーク側から通知された、前記ＵＥのためサービスを提供するセル集合の伝送リソースを獲得するステップであって、ここで、複数のセルのアップリンク伝送キャリアの割り当てリソースが含まれる前記獲得ステップと、
前記ＵＥがアップリンク伝送のプライマリー・コンポーネント・キャリアのハンドオーバーを行う必要があると決定する場合、前記ＵＥが、新しいセルのアップリンク伝送キャリアの割り当てリソースにより、アップリンク伝送のプライマリー・コンポーネント・キャリアを、前記新しい対応のセルのアップリンク伝送キャリアにハンドオーバーするステップと
を備えることを特徴とするアップリンク伝送のプライマリー・コンポーネント・キャリアのハンドオーバー方法。
【請求項９】
前記ＵＥは、ネットワーク側から送信されたアップリンク伝送のプライマリー・コンポーネント・キャリアをハンドオーバーする通知に基づき、アップリンク伝送する必要があるプライマリー・コンポーネント・キャリアのハンドオーバーを決定する
ことを特徴とする請求項８に記載のアップリンク伝送のプライマリー・コンポーネント・キャリアのハンドオーバー方法。
【請求項１０】
前記ＵＥは、下記のいずれかの態様により、ネットワーク側から送信されたアップリンク伝送のプライマリー・コンポーネント・キャリアをハンドオーバーする通知を受信し、
階層３、階層２または階層１の命令により、ネットワーク側から送信された、特定のセルのアップリンク伝送キャリアを選択してアップリンク伝送のプライマリー・コンポーネント・キャリアとする通知を受信するか、または、
階層３、階層２または階層１の命令により、ネットワーク側から送信された、アップリンク伝送のプライマリー・コンポーネント・キャリアのサブフレームの構成情報の通知を受信し，ここで、アップリンク伝送のプライマリー・コンポーネント・キャリアに対応するセルとサブフレームの対応関係が含まれるか、または、
ネットワーク側から送信された、前記ＵＥのアップリンク伝送のプライマリー・コンポーネント・キャリアである現行セカンダリセルのアップリンク伝送キャリアの割り当てリソースを非活性化する命令を、前記ＵＥがプライマリーセルのアップリンク伝送キャリアをアップリンク伝送のプライマリー・コンポーネント・キャリアとする通知とする
ことを特徴とする請求項９に記載のアップリンク伝送のプライマリー・コンポーネント・キャリアのハンドオーバー方法。
【請求項１１】
前記ＵＥが階層３の命令により、ネットワーク側から送信された、特定のセルのアップリンク伝送キャリアを選択してアップリンク伝送のプライマリー・コンポーネント・キャリアとする通知を受信する場合、前記方法は、
前記ＵＥが、前記階層３の命令から、前記特定のセルのアップリンク伝送キャリアの割り当てリソースを獲得するステップをさらに備え、
前記ＵＥが、新しいセルのアップリンク伝送キャリアの割り当てリソースにより、アップリンク伝送のプライマリー・コンポーネント・キャリアを、前記新しい対応のセルのアップリンク伝送キャリアにハンドオーバーするステップは、
前記ＵＥが、前記階層３の命令から獲得した前記特定のセルのアップリンク伝送キャリアの割り当てリソースにより、アップリンク伝送のプライマリー・コンポーネント・キャリアを、前記特定の対応のセルのアップリンク伝送キャリアにハンドオーバーするステップである
ことを特徴とする請求項１０に記載のアップリンク伝送のプライマリー・コンポーネント・キャリアのハンドオーバー方法。
【請求項１２】
前記ＵＥは、下記のいずれの態様により、アップリンク伝送する必要があるプライマリー・コンポーネント・キャリアのハンドオーバーを決定し、
前記ＵＥは、自ら開始したランダムアクセスにより、プリアンブルシーケンスが位置する伝送キャリアをアップリンク伝送のプライマリー・コンポーネント・キャリアとすることを決定し、
前記ＵＥは、自ら開始した専用スケジューリングリクエスト（Ｄ−ＳＲ）により、Ｄ−ＳＲが位置するキャリアをアップリンク伝送のプライマリー・コンポーネント・キャリアとすることを決定し、
前記ＵＥがネットワーク側から、前記複数のセルのうちの１つのセルに対するアップリンクスケジューリン命令を受信した場合、前記ＵＥは、前記セルのアップリンク伝送キャリアをアップリンク伝送のプライマリー・コンポーネント・キャリアとすることを決定する
ことを特徴とする請求項８に記載のアップリンク伝送のプライマリー・コンポーネント・キャリアのハンドオーバー方法。
【請求項１３】
前記ＵＥが、自ら開始したランダムアクセスにより、プリアンブルシーケンスが位置する伝送キャリアをアップリンク伝送のプライマリー・コンポーネント・キャリアとすることを決定する場合、前記方法は、
前記ＵＥが、目下、セカンダリセルのアップリンク伝送キャリアを選択してアップリンク伝送のプライマリー・コンポーネント・キャリアとし、前記セカンダリセルにはＣＢＲＡリソース及びＤ−ＳＲリソースが割り当てられていなければ、前記ＵＥがアップリンクスケジューリンリクエストを開始する場合、前記ＵＥは、プライマリーセルにハンドオーバーしてＣＢＲＡを開始し、プライマリーセルのアップリンク伝送キャリアをアップリンク伝送のプライマリー・コンポーネント・キャリアとするか、または、
前記ＵＥが、目下、セカンダリセルのアップリンク伝送キャリアを選択してアップリンク伝送のプライマリー・コンポーネント・キャリアとし、且つ前記セカンダリセルにはＤ−ＳＲリソースのみが設定されれば、前記セカンダリセルにおいて前記ＵＥのＤ−ＳＲ伝送が失敗される場合、前記ＵＥは、プライマリーセルにハンドオーバーしてＣＢＲＡを開始し、プライマリーセルのアップリンク伝送キャリアをアップリンク伝送のプライマリー・コンポーネント・キャリアとするか、または、
前記ＵＥが、目下、セカンダリセルのアップリンク伝送キャリアを選択してアップリンク伝送のプライマリー・コンポーネント・キャリアとし、且つ前記セカンダリセルの伝送クオリティが要求を満たさない場合、前記ＵＥは、プライマリーセルのアップリンク伝送キャリアをアップリンク伝送のプライマリー・コンポーネント・キャリアとし、ランダムアクセス（ＲＡ）を開始ずる
ことを特徴とする請求項１２に記載のアップリンク伝送のプライマリー・コンポーネント・キャリアのハンドオーバー方法。
【請求項１４】
前記ＵＥが、自ら開始したＤ−ＳＲにより、Ｄ−ＳＲが位置するキャリアをアップリンク伝送のプライマリー・コンポーネント・キャリアとすることを決定する場合、前記方法は、
前記ＵＥが、目下、セカンダリセルのアップリンク伝送キャリアを選択してアップリンク伝送のプライマリー・コンポーネント・キャリアとし、且つ前記セカンダリセルにはＣＢＲＡ及びＤ−ＳＲリソースが設定されていなければ、前記ＵＥがアップリンクスケジューリンリクエストを開始する場合、前記ＵＥは、プライマリーセルにハンドオーバーしてＤ−ＳＲを開始し、プライマリーセルのアップリンク伝送キャリアをアップリンク伝送のプライマリー・コンポーネント・キャリアとするステップ
をさらに備えることを特徴とする請求項１２に記載のアップリンク伝送のプライマリー・コンポーネント・キャリアのハンドオーバー方法。
【請求項１５】
選択されていないアップリンク伝送キャリアについて、前記方法は、
前記ＵＥが、前記アップリンク伝送キャリアの全部の割り当てリソースを維持するステップと、
前記ＵＥが、前記アップリンク伝送キャリアにおける全部の伝送を停止するステップと、
前記ＵＥが、前記アップリンク伝送キャリアに対応するＨＡＲＱバッファーを除去し、前記アップリンク伝送キャリアに対応するアップリンク許可情報を除去するステップと、
前記ＵＥが、媒体アクセス制御（ＭＡＣ）アップリンクと関連するコンテキストをリセットするステップとのうちのいずれかのステップまたはこれらのステップの任意の組み合わせ
を備えることを特徴とする請求項８ないし請求項１４のいずれか１項に記載のアップリンク伝送のプライマリー・コンポーネント・キャリアのハンドオーバー方法。
【請求項１６】
前記方法は、
前記ＵＥが、目下、プライマリー対応のセルのアップリンク伝送キャリアを選択してアップリンク伝送のプライマリー・コンポーネント・キャリアとすれば、前記ＵＥがネットワーク側からセカンダリセルを活性化する命令を受信した場合、前記ＵＥは、前記セカンダリセルのダウンリンク伝送リソースのみを活性化するステップと、
前記ＵＥが、目下、セカンダリ対応のセルのアップリンク伝送キャリアを選択してアップリンク伝送のプライマリー・コンポーネント・キャリアとする場合、前記ＵＥがネットワーク側からセカンダリセルを非活性化する命令を受信した場合、前記ＵＥは、前記セカンダリセルのアップリンク伝送リソースのみを非活性化し、プライマリー対応のセルのアップリンク伝送キャリアをアップリンク伝送のプライマリー・コンポーネント・キャリアとするステップと
を備えることを特徴とする請求項８ないし請求項１４のいずれか１項に記載のアップリンク伝送のプライマリー・コンポーネント・キャリアのハンドオーバー方法。
【請求項１７】
前記ＵＥが、ネットワーク側から通知された、前記ＵＥにサービスを提供するためのセル集合の伝送リソースを獲得する前、前記方法は、
前記ＵＥは、アップリンク伝送のプライマリー・コンポーネント・キャリアのハンドオーバー容量をサポートする前記ＵＥの容量情報を、ネットワーク側に報告するステップ
をさらに備えることを特徴とする請求項８ないし請求項１４のいずれか１項に記載のアップリンク伝送のプライマリー・コンポーネント・キャリアのハンドオーバー方法。
【請求項１８】
前記ＵＥがｎタイミングにおいて、アップリンク伝送する必要があるプライマリー・コンポーネント・キャリアのハンドオーバーを決定すれば、ｎ＋ｋタイミングにおいて、新しいアップリンク伝送のプライマリー・コンポーネント・キャリアが発効され、ここで、k>=０であり、前記ＵＥは、ｎタイミングまたはｎ＋ｋタイミングにおいて、最初のアップリンク伝送のプライマリー・コンポーネント・キャリアにおける伝送を停止する
ことを特徴とする請求項８ないし請求項１４のいずれか１項に記載のアップリンク伝送のプライマリー・コンポーネント・キャリアのハンドオーバー方法。
【請求項１９】
ＵＥのために設定した、前記ＵＥにサービスを提供するセル集合の伝送リソースを決定するリソース決定ユニットであって、前記ＵＥのアップリンク伝送のプライマリー・コンポーネント・キャリアの、異なる対応のセルのアップリンク伝送キャリアの間のハンドオーバーを実現するための、複数のセルのアップリンク伝送キャリアの割り当てリソースが含まれるリソース決定ユニットと、
前記リソースを決定ユニットに接続されて、前記セル集合の伝送リソースを前記ＵＥに通知する送信ユニットと
を備えることを特徴とするアップリンク伝送のプライマリー・コンポーネント・キャリアのハンドオーバー制御装置。
【請求項２０】
各々セルのアップリンク伝送キャリアの割り当てリソースは、
ＣＢＲＡリソースと、専用スケジューリングリクエスト（Ｄ−ＳＲ）リソースと、ＰＵＣＣＨリソースとを含む
ことを特徴とする請求項１９に記載のアップリンク伝送のプライマリー・コンポーネント・キャリアのハンドオーバー制御装置。
【請求項２１】
前記送信ユニットは、
前記ＵＥにアップリンク伝送のプライマリー・コンポーネント・キャリアをハンドオーバーするように通知する
ことを特徴とする請求項１９に記載のアップリンク伝送のプライマリー・コンポーネント・キャリアのハンドオーバー制御装置。
【請求項２２】
前記送信ユニットは、前記ＵＥにアップリンク伝送のプライマリー・コンポーネント・キャリアをハンドオーバーするように通知する場合、
階層３、階層２または階層１の命令により、前記ＵＥに、特定のセルのアップリンク伝送キャリアを選択してアップリンク伝送のプライマリー・コンポーネント・キャリアとすることを通知するか、または、
階層３、階層２または階層１の命令により、前記ＵＥに、アップリンク伝送のプライマリー・コンポーネント・キャリアのサブフレームの構成情報を通知し、ここで、アップリンク伝送のプライマリー・コンポーネント・キャリアに対応するセルとサブフレームの対応関係が含まれるか、または、
前記ＵＥのアップリンク伝送のプライマリー・コンポーネント・キャリアとする現行セカンダリセルのアップリンク伝送キャリアの割り当てリソースを非活性化することにより、プライマリーセルのアップリンク伝送キャリアをアップリンク伝送のプライマリー・コンポーネント・キャリアとすることを、前記ＵＥに指示する
ことを特徴とする請求項２１に記載のアップリンク伝送のプライマリー・コンポーネント・キャリアのハンドオーバー制御装置。
【請求項２３】
前記送信ユニットは、階層３の命令により、前記ＵＥに、特定のセルのアップリンク伝送キャリアを選択してアップリンク伝送のプライマリー・コンポーネント・キャリアとすることを通知する場合、前記階層３の命令には、前記特定のセルのアップリンク伝送キャリアの割り当てリソースがさらに含まれる
ことを特徴とする請求項２２に記載のアップリンク伝送のプライマリー・コンポーネント・キャリアのハンドオーバー制御装置。
【請求項２４】
前記ＵＥのためにアップリンク伝送キャリアの割り当てリソースを提供するセＵＥのルの数は、大なりイコール前記ＵＥの実際のアップリンク伝送に採用されるアップリンク伝送キャリアに対応するセルの数の最大値である
ことを特徴とする請求項１９ないし請求項２３のいずれか１項に記載のアップリンク伝送のプライマリー・コンポーネント・キャリアのハンドオーバー制御装置。
【請求項２５】
前記リソース決定ユニットに接続され、前記ＵＥのために設定した、前記ＵＥにサービスを提供するセル集合の伝送リソースを決定する前、アップリンク伝送のプライマリー・コンポーネント・キャリアのハンドオーバー容量をサポートする前記ＵＥの容量情報を、受信する受信ユニットをさらに備え、
前記リソース決定ユニットが前記ＵＥのために設定した、前記ＵＥにサービスを提供するセル集合の伝送リソースを決定することは、前記ＵＥから報告された前記容量情報に基づいて、前記ＵＥのために設定した、前記ＵＥにサービスを提供するセル集合の伝送リソースを決定する
ことを特徴とする請求項１９ないし請求項２３のいずれか１項に記載のアップリンク伝送のプライマリー・コンポーネント・キャリアのハンドオーバー制御装置。
【請求項２６】
ネットワーク側から通知された、ＵＥにサービスを提供するためのセル集合の伝送リソースを獲得する獲得ユニットであって、ここで、複数のセルのアップリンク伝送キャリアの割り当てリソースが含まれる獲得ユニットと、
前記獲得ユニットに接続され、アップリンク伝送する必要があるプライマリー・コンポーネント・キャリアのハンドオーバーを決定する場合、新しいセルのアップリンク伝送キャリアの割り当てリソースにより、アップリンク伝送のプライマリー・コンポーネント・キャリアを、前記新しい対応のセルのアップリンク伝送キャリアにハンドオーバーする処理ユニットと
を備えることを特徴とするアップリンク伝送のプライマリー・コンポーネント・キャリアのハンドオーバー装置。
【請求項２７】
前記処理ユニットは、ネットワーク側から送信されたアップリンク伝送のプライマリー・コンポーネント・キャリアをハンドオーバーする通知に基づいて、アップリンク伝送する必要があるプライマリー・コンポーネント・キャリアのハンドオーバーを決定する
ことを特徴とする請求項２６に記載のアップリンク伝送のプライマリー・コンポーネント・キャリアのハンドオーバー装置。
【請求項２８】
前記処理ユニットは下記のいずれの態様により、ネットワーク側から送信されたアップリンク伝送のプライマリー・コンポーネント・キャリアをハンドオーバーする通知を、受信し、
階層３、階層２または階層１の命令により、ネットワーク側から送信された、特定のセルのアップリンク伝送キャリアを選択してアップリンク伝送のプライマリー・コンポーネント・キャリアとする通知を受信するか、または、
階層３、階層２または階層１の命令により、ネットワーク側から送信された、アップリンク伝送のプライマリー・コンポーネント・キャリアのサブフレームの構成情報の通知を受信し，其中包括アップリンク伝送のプライマリー・コンポーネント・キャリアに対応するセルとサブフレームの対応関係が含まれるか、または、
ネットワーク側から送信された、アップリンク伝送のプライマリー・コンポーネント・キャリアであるセカンダリセルのアップリンク伝送キャリアの割り当てリソースを非活性化する命令を、プライマリーセルのアップリンク伝送キャリアをアップリンク伝送のプライマリー・コンポーネント・キャリアとする通知とする
ことを特徴とする請求項２７に記載のアップリンク伝送のプライマリー・コンポーネント・キャリアのハンドオーバー装置。
【請求項２９】
前記処理ユニットが、ネットワーク側から階層３の命令により送信した、特定のセルのアップリンク伝送キャリアを選択してアップリンク伝送のプライマリー・コンポーネント・キャリアとする通知を受信する場合、前記獲得ユニットは、
前記階層３の命令から前記特定のセルのアップリンク伝送キャリアの割り当てリソースを獲得し、
前記処理ユニットが新しいセルのアップリンク伝送キャリアの割り当てリソースにより、アップリンク伝送のプライマリー・コンポーネント・キャリアを、前記新しい対応のセルのアップリンク伝送キャリアにハンドオーバーすることは、
前記階層３の命令から獲得した前記特定のセルのアップリンク伝送キャリアの割り当てリソースにより、アップリンク伝送のプライマリー・コンポーネント・キャリアを、前記特定の対応のセルのアップリンク伝送キャリアにハンドオーバーすることである
ことを特徴とする請求項２９に記載のアップリンク伝送のプライマリー・コンポーネント・キャリアのハンドオーバー装置。
【請求項３０】
前記処理ユニットは、下記のいずれの態様により、アップリンク伝送する必要があるプライマリー・コンポーネント・キャリアのハンドオーバーを決定し、
自ら開始したランダムアクセスにより、プリアンブルシーケンスが位置する伝送キャリアをアップリンク伝送のプライマリー・コンポーネント・キャリアとすることを決定し、
自ら開始した専用スケジューリングリクエスト（Ｄ−ＳＲ）により、Ｄ−ＳＲが位置するキャリアをアップリンク伝送のプライマリー・コンポーネント・キャリアとすることを決定し、
ネットワーク側から送信された前記複数のセルのうちの１つのセルに対するアップリンクスケジューリン命令を受信する場合、前記セルのアップリンク伝送キャリアをアップリンク伝送のプライマリー・コンポーネント・キャリアとすることを決定する
ことを特徴とする請求項２６に記載のアップリンク伝送のプライマリー・コンポーネント・キャリアのハンドオーバー装置。
【請求項３１】
前記処理ユニットが、自ら開始したランダムアクセスにより、プリアンブルシーケンスが位置する伝送キャリアをアップリンク伝送のプライマリー・コンポーネント・キャリアとすることを決定する場合、前記処理ユニットは、
目下、セカンダリセルのアップリンク伝送キャリアを選択してアップリンク伝送のプライマリー・コンポーネント・キャリアとし、且つ前記セカンダリセルにはＣＢＲＡリソース及びＤ−ＳＲリソースがわりあてられていなければ、目下、セカンダリセルのアップリンク伝送キャリアを選択して、アップリンク伝送のプライマリー・コンポーネント・キャリアとしアップリンクスケジューリンリクエストを開始する必要がある場合、目下、セカンダリセルのアップリンク伝送キャリアを選択して、アップリンク伝送のプライマリー・コンポーネント・キャリアとしプライマリーセルにハンドオーバーしてＣＢＲＡを開始し、プライマリーセルのアップリンク伝送キャリアをアップリンク伝送のプライマリー・コンポーネント・キャリアとするか、または、
目下、セカンダリセルのアップリンク伝送キャリアを選択して、アップリンク伝送のプライマリー・コンポーネント・キャリアとし、前記セカンダリセルにはＤ−ＳＲリソースのみが割り当てられれば、前記セカンダリセルにおいてＤ−ＳＲ伝送が失敗となった場合、目下、セカンダリセルのアップリンク伝送キャリアを選択して、アップリンク伝送のプライマリー・コンポーネント・キャリアとしプライマリーセルにハンドオーバーしてＣＢＲＡを開始し、プライマリーセルのアップリンク伝送キャリアをアップリンク伝送のプライマリー・コンポーネント・キャリアとするか、または、
目下、セカンダリセルのアップリンク伝送キャリアを選択してアップリンク伝送のプライマリー・コンポーネント・キャリアとし、前記セカンダリセルの伝送クオリティが要求を満たさなければ、プライマリーセルのアップリンク伝送キャリアをアップリンク伝送のプライマリー・コンポーネント・キャリアとし、ランダムアクセス（ＲＡ）を開始ずる
ことを特徴とする請求項３０に記載のアップリンク伝送のプライマリー・コンポーネント・キャリアのハンドオーバー装置。
【請求項３２】
前記処理ユニットが、自ら開始したＤ−ＳＲにより、Ｄ−ＳＲが位置するキャリアをアップリンク伝送のプライマリー・コンポーネント・キャリアとすることを決定する場合、前記処理ユニットは、
目下、セカンダリセルのアップリンク伝送キャリアを選択して、アップリンク伝送のプライマリー・コンポーネント・キャリアとし、前記セカンダリセルには、ＣＢＲＡ及びＤ−ＳＲリソースが割り当てられていなければ、目下、セカンダリセルのアップリンク伝送キャリアを選択して、アップリンク伝送のプライマリー・コンポーネント・キャリアとしアップリンクスケジューリンリクエストを開始する必要がある場合、プライマリーセルにハンドオーバーしてＤ−ＳＲを開始し、プライマリーセルのアップリンク伝送キャリアをアップリンク伝送のプライマリー・コンポーネント・キャリアとする
ことを特徴とする請求項３０に記載のアップリンク伝送のプライマリー・コンポーネント・キャリアのハンドオーバー装置。
【請求項３３】
選択されていないアップリンク伝送キャリアについて、前記処理ユニットは、
前記アップリンク伝送キャリアの全部の割り当てリソースを維持することと、
前記アップリンク伝送キャリアにおける全部の伝送を停止することと、
前記アップリンク伝送キャリアに対応するＨＡＲＱＨＡＲＱ バッファーを除去し、前記アップリンク伝送キャリアに対応するアップリンク許可情報を除去することと、
媒体アクセス制御（ＭＡＣ）アップリンクと関連するコンテキストをリセットすることのいずれの１つまたはこれらのことの組み合わせに用いられる
ことを特徴とする請求項２６ないし請求項３２のいずれか１項に記載のアップリンク伝送のプライマリー・コンポーネント・キャリアのハンドオーバー装置。
【請求項３４】
前記処理ユニットは、
目下、プライマリー対応のセルのアップリンク伝送キャリアを選択してアップリンク伝送のプライマリー・コンポーネント・キャリアとすれば、ネットワーク側から送信された、セカンダリセルを活性化する命令を受信した場合、前記セカンダリセルのダウンリンク伝送リソースのみを活性化し、
目下、セカンダリ対応のセルのアップリンク伝送キャリアを選択してアップリンク伝送のプライマリー・コンポーネント・キャリアとすれば、ネットワーク側から送信された、セカンダリセルを非活性化する命令を受信した場合、前記セカンダリセルのアップリンク伝送リソースのみを非活性化し、プライマリー対応のセルのアップリンク伝送キャリアをアップリンク伝送のプライマリー・コンポーネント・キャリアとする
ことを特徴とする請求項２６ないし請求項３２のいずれか１項に記載のアップリンク伝送のプライマリー・コンポーネント・キャリアのハンドオーバー装置。
【請求項３５】
前記獲得ユニットに接続され、ネットワーク側から通知された、前記ＵＥにサービスを提供するためのセル集合の伝送リソースを獲得する前、アップリンク伝送のプライマリー・コンポーネント・キャリアのハンドオーバー容量をサポートする容量情報を、ネットワーク側に報告する報告ユニットをさらに備える
ことを特徴とする請求項２６ないし請求項３２のいずれか１項に記載のアップリンク伝送のプライマリー・コンポーネント・キャリアのハンドオーバー装置。
【請求項３６】
前記処理ユニットは、ｎタイミングにおいて、アップリンク伝送する必要があるプライマリー・コンポーネント・キャリアのハンドオーバーを決定すれば、ｎ＋ｋタイミングにおいて、新しいアップリンク伝送のプライマリー・コンポーネント・キャリアが発効され、ここで、k>=０であり、ｎタイミングまたはｎ＋ｋタイミングにおいて、最初のアップリンク伝送のプライマリー・コンポーネント・キャリアにおける伝送を停止する
ことを特徴とする請求項２６ないし請求項３２のいずれか１項に記載のアップリンク伝送のプライマリー・コンポーネント・キャリアのハンドオーバー装置。
【請求項３７】
請求項１９ないし請求項２５のいずれか１項に記載の前記アップリンク伝送のプライマリー・コンポーネント・キャリアのハンドオーバー制御装置を備えることを特徴とする基地局。
【請求項３８】
請求項２６ないし請求項３６のいずれか１項に記載の前記アップリンク伝送のプライマリー・コンポーネント・キャリアのハンドオーバー装置を備えることを特徴とするＵＥ。
【請求項３９】
送受信機と、プロセッサと、メモリとを備え、
前記プロセッサは、前記メモリ内のプログラムを読み出し、ＵＥのために設定した、前記ＵＥにサービスを提供するセル集合の伝送リソースを決定し、ここで、複数のセルのアップリンク伝送キャリアの割り当てリソースが含まれ、前記送受信機により、前記セル集合の伝送リソースを前記ＵＥ通知することにより、前記ＵＥのアップリンク伝送のプライマリー・コンポーネント・キャリアの、異なる対応のセルのアップリンク伝送キャリアの間のハンドオーバーを実現する
ことを特徴とする基地局。
【請求項４０】
各々セルのアップリンク伝送キャリアの割り当てリソースは、
ＣＢＲＡリソースと、専用スケジューリングリクエスト（Ｄ−ＳＲ）リソースと、ＰＵＣＣＨリソースとを備える
ことを特徴とする請求項３９に記載の基地局。
【請求項４１】
前記プロセッサは、
前記送受信機により、前記ＵＥにアップリンク伝送のプライマリー・コンポーネント・キャリアをハンドオーバーするように通知する
ことを特徴とする請求項３９に記載の基地局。
【請求項４２】
前記プロセッサは、
階層３、階層２または階層１の命令により、前記ＵＥに、特定のセルのアップリンク伝送キャリアを選択してアップリンク伝送のプライマリー・コンポーネント・キャリアとすることを通知するか、または、
階層３、階層２または階層１の命令により、前記ＵＥに、アップリンク伝送のプライマリー・コンポーネント・キャリアのサブフレームの構成情報を通知し、ここで、アップリンク伝送のプライマリー・コンポーネント・キャリアに対応するセルとサブフレームの対応関係が含まれるか、または、
前記ＵＥのアップリンク伝送のプライマリー・コンポーネント・キャリアとする現行セカンダリセルのアップリンク伝送キャリアの割り当てリソースを非活性化することにより、プライマリーセルのアップリンク伝送キャリアをアップリンク伝送のプライマリー・コンポーネント・キャリアとすることを、前記ＵＥに指示する
ことを特徴とする請求項４１に記載の基地局。
【請求項４３】
前記プロセッサが、階層３の命令により、前記ＵＥに、特定のセルのアップリンク伝送キャリアを選択してアップリンク伝送のプライマリー・コンポーネント・キャリアとすることを通知する場合、前記階層３の命令には、前記特定のセルのアップリンク伝送キャリアの割り当てリソースがさらに含まれる
ことを特徴とする請求項４２に記載の基地局。
【請求項４４】
前記ＵＥのためにアップリンク伝送キャリアの割り当てリソースを提供するセＵＥのルの数は、大なりイコール前記ＵＥの実際のアップリンク伝送に採用されるアップリンク伝送キャリアに対応するセルの数の最大値である
ことを特徴とする請求項３９ないし請求項４３のいずれか１項に記載の基地局。
【請求項４５】
前記プロセッサは、前記ＵＥのために設定した、前記ＵＥにサービスを提供するセル集合の伝送リソースを決定する前、前記送受信機により、アップリンク伝送のプライマリー・コンポーネント・キャリアのハンドオーバー容量をサポートする前記ＵＥの容量情報を、受信し、
前記プロセッサが、前記ＵＥのために設定した、前記ＵＥにサービスを提供するセル集合の伝送リソースを決定することは、前記ＵＥから報告された前記容量情報に基づいて、前記ＵＥのために設定した、前記ＵＥにサービスを提供するセル集合の伝送リソースを決定することである
ことを特徴とする請求項３９ないし請求項４３のいずれか１項に記載の基地局。
【請求項４６】
送受信機と、プロセッサと、メモリとを備え、
前記プロセッサは、前記メモリ内のプログラムを読み出し、前記送受信機により、ネットワーク側から通知された、ＵＥにサービスを提供するためのセル集合の伝送リソースを獲得し、ここで、複数のセルのアップリンク伝送キャリアの割り当てリソースが含まれ、アップリンク伝送する必要があるプライマリー・コンポーネント・キャリアのハンドオーバーを決定する場合、新しいセルのアップリンク伝送キャリアの割り当てリソースにより、アップリンク伝送のプライマリー・コンポーネント・キャリアを、前記新しい対応のセルのアップリンク伝送キャリアにハンドオーバーする
ことを特徴とするＵＥ。
【請求項４７】
前記プロセッサは、ネットワーク側から送信されたアップリンク伝送のプライマリー・コンポーネント・キャリアをハンドオーバーする通知に基づき、アップリンク伝送する必要があるプライマリー・コンポーネント・キャリアのハンドオーバーを決定する
ことを特徴とする請求項４６に記載のＵＥ。
【請求項４８】
前記プロセッサは、下記いずれの態様により、ネットワーク側から送信されたアップリンク伝送のプライマリー・コンポーネント・キャリアをハンドオーバーする通知を受信し、
階層３、階層２または階層１の命令により、ネットワーク側から送信された、特定のセルのアップリンク伝送キャリアを選択してアップリンク伝送のプライマリー・コンポーネント・キャリアとする通知を受信するか、または、
階層３、階層２または階層１の命令により、ネットワーク側から送信された、アップリンク伝送のプライマリー・コンポーネント・キャリアのサブフレームの構成情報の通知を受信し、ここで、アップリンク伝送のプライマリー・コンポーネント・キャリアに対応するセルとサブフレームの対応関係が含まれるか、または、
ネットワーク側から送信された、アップリンク伝送のプライマリー・コンポーネント・キャリアであるセカンダリセルのアップリンク伝送キャリアの割り当てリソースを非活性化する命令を、プライマリーセルのアップリンク伝送キャリアをアップリンク伝送のプライマリー・コンポーネント・キャリアとする通知とする
ことを特徴とする請求項４７に記載のＵＥ。
【請求項４９】
前記プロセッサネットワーク側が階層３の命令により送信した、特定のセルのアップリンク伝送キャリアを選択してアップリンク伝送のプライマリー・コンポーネント・キャリアとする通知を受信する場合、前記プロセッサは、
前記階層３の命令から前記特定のセルのアップリンク伝送キャリアの割り当てリソースを獲得し、
前記プロセッサが、新しいセルのアップリンク伝送キャリアの割り当てリソースにより、アップリンク伝送のプライマリー・コンポーネント・キャリアを、前記新しい対応のセルのアップリンク伝送キャリアにハンドオーバーすることは、
前記階層３の命令から獲得した前記特定のセルのアップリンク伝送キャリアの割り当てリソースにより、アップリンク伝送のプライマリー・コンポーネント・キャリアを、前記特定の対応のセルのアップリンク伝送キャリアにハンドオーバーすることである
ことを特徴とする請求項４８に記載のＵＥ。
【請求項５０】
前記プロセッサは下記いずれの態様により、アップリンク伝送する必要があるプライマリー・コンポーネント・キャリアのハンドオーバーを決定し、
自ら開始したランダムアクセスにより、プリアンブルシーケンスが位置する伝送キャリアをアップリンク伝送のプライマリー・コンポーネント・キャリアとすることを決定し、
自ら開示した専用スケジューリングリクエスト（Ｄ−ＳＲ）により、Ｄ−ＳＲが位置するキャリアをアップリンク伝送のプライマリー・コンポーネント・キャリアとすることを決定し、
ネットワーク側から送信された前記複数のセルのうちの１つのセルに対するアップリンクスケジューリン命令を受信する場合、前記セルのアップリンク伝送キャリアをアップリンク伝送のプライマリー・コンポーネント・キャリアとすることを決定する
ことを特徴とする請求項４６に記載のＵＥ。
【請求項５１】
前記プロセッサ自ら開始したランダムアクセスにより、プリアンブルシーケンスが位置する伝送キャリアをアップリンク伝送のプライマリー・コンポーネント・キャリアとすることを決定する場合、前記プロセッサは、
目下、セカンダリセルのアップリンク伝送キャリアを選択してアップリンク伝送のプライマリー・コンポーネント・キャリアとし、且つ前記セカンダリセルにはＣＢＲＡリソース及びＤ−ＳＲリソースがわりあてられていなければ、目下、セカンダリセルのアップリンク伝送キャリアを選択して、アップリンク伝送のプライマリー・コンポーネント・キャリアとしアップリンクスケジューリンリクエストを開始する必要がある場合、目下、セカンダリセルのアップリンク伝送キャリアを選択して、アップリンク伝送のプライマリー・コンポーネント・キャリアとしプライマリーセルにハンドオーバーしてＣＢＲＡを開始し、プライマリーセルのアップリンク伝送キャリアをアップリンク伝送のプライマリー・コンポーネント・キャリアとするか、または、
目下、セカンダリセルのアップリンク伝送キャリアを選択して、アップリンク伝送のプライマリー・コンポーネント・キャリアとし、前記セカンダリセルにはＤ−ＳＲリソースのみが割り当てられれば、前記セカンダリセルにおいてＤ−ＳＲ伝送が失敗となった場合、目下、セカンダリセルのアップリンク伝送キャリアを選択して、アップリンク伝送のプライマリー・コンポーネント・キャリアとしプライマリーセルにハンドオーバーしてＣＢＲＡを開始し、プライマリーセルのアップリンク伝送キャリアをアップリンク伝送のプライマリー・コンポーネント・キャリアとするか、または、
目下、セカンダリセルのアップリンク伝送キャリアを選択してアップリンク伝送のプライマリー・コンポーネント・キャリアとし、前記セカンダリセルの伝送クオリティが要求を満たさなければ、プライマリーセルのアップリンク伝送キャリアをアップリンク伝送のプライマリー・コンポーネント・キャリアとし、ランダムアクセス（ＲＡ）を開始ずる
ことを特徴とする請求項５０に記載のＵＥ。
【請求項５２】
前記プロセッサは、自ら開始したＤ−ＳＲにより、Ｄ−ＳＲが位置するキャリアをアップリンク伝送のプライマリー・コンポーネント・キャリアとすることを決定する場合、前記プロセッサは、
目下、セカンダリセルのアップリンク伝送キャリアを選択して、アップリンク伝送のプライマリー・コンポーネント・キャリアとし、前記セカンダリセルには、ＣＢＲＡ及びＤ−ＳＲリソースが割り当てられていなければ、目下、セカンダリセルのアップリンク伝送キャリアを選択して、アップリンク伝送のプライマリー・コンポーネント・キャリアとしアップリンクスケジューリンリクエストを開始する必要がある場合、プライマリーセルにハンドオーバーしてＤ−ＳＲを開始し、プライマリーセルのアップリンク伝送キャリアをアップリンク伝送のプライマリー・コンポーネント・キャリアとする
ことを特徴とする請求項５０に記載のＵＥ。
【請求項５３】
選択されていないアップリンク伝送キャリアについて、前記プロセッサは、
前記アップリンク伝送キャリアの全部の割り当てリソースを維持することと、
前記アップリンク伝送キャリアにおける全部の伝送を停止することと、
前記アップリンク伝送キャリアに対応するＨＡＲＱバッファーを除去し、前記アップリンク伝送キャリアに対応するアップリンク許可情報を除去することと、
媒体アクセス制御（ＭＡＣ）アップリンクと関連するコンテキストをリセットすることのいずれか１つまたはこれらの組み合わせに用いられる
ことを特徴とする請求項４６ないし請求項５２のいずれか１項に記載のＵＥ。
【請求項５４】
前記プロセッサは、
目下、プライマリー対応のセルのアップリンク伝送キャリアを選択してアップリンク伝送のプライマリー・コンポーネント・キャリアとすれば、ネットワーク側から送信された、セカンダリセルを活性化する命令を受信した場合、前記セカンダリセルのダウンリンク伝送リソースのみを活性化し、
目下、セカンダリ対応のセルのアップリンク伝送キャリアを選択してアップリンク伝送のプライマリー・コンポーネント・キャリアとすれば、ネットワーク側から送信された、セカンダリセルを非活性化する命令を受信した場合、前記セカンダリセルのアップリンク伝送リソースのみを非活性化し、プライマリー対応のセルのアップリンク伝送キャリアをアップリンク伝送のプライマリー・コンポーネント・キャリアとする
ことを特徴とする請求項４６ないし請求項５２のいずれか１項に記載のＵＥ。
【請求項５５】
前記プロセッサは、ネットワーク側から通知された、前記ＵＥにサービスを提供するためのセル集合の伝送リソースを獲得する前、前記送受信機により、アップリンク伝送のプライマリー・コンポーネント・キャリアのハンドオーバー容量をサポートする容量情報を、ネットワーク側に報告する
ことを特徴とする請求項４６ないし請求項５２のいずれか１項に記載のＵＥ。
【請求項５６】
前記プロセッサｎタイミングにおいて、アップリンク伝送する必要があるプライマリー・コンポーネント・キャリアのハンドオーバーを決定すれば、ｎ＋ｋタイミングにおいて、新しいアップリンク伝送のプライマリー・コンポーネント・キャリアが発効され、ここで、k>=０であり、ｎタイミングまたはｎ＋ｋタイミングにおいて、最初のアップリンク伝送のプライマリー・コンポーネント・キャリアにおける伝送を停止する
ことを特徴とする請求項４６ないし請求項５２のいずれか１項に記載のＵＥ。
【発明の詳細な説明】
【技術分野】
【０００１】
本発明は通信技術分野に関し、特に、アップリンク伝送のプライマリー・コンポーネント・キャリアのハンドオーバー及びその制御方法、装置、基地局及びＵＥ（Ｕｓｅｒ Ｅｑｕｉｐｍｅｎｔ）に関する。
【背景技術】
【０００２】
ＬＴＥ（Ｌｏｎｇ Ｔｅｒｍ Ｅｖｏｌｕｔｉｏｎ）ネットワークのカバレッジ範囲の日々増大及びＬＴＥ技術の発展とともない、容量において、ユーザー数の増大及びバンド幅に対する要求の向上のため、従来のマクロセルカバレッジ手段がこのようなニーズを満足できなくなる。特に、ユーザーが集中する地域において、簡単のマクロセルカバレッジは、もうユーザーのトラフィック（ｔｒａｆｆｉｃ）に対するニーズに応じられなくなり、また、同型カバレッジ手段の場合、不感地帯が現わされ、ユーザーの利用に影響を与える。よって、ＬＴＥにはヘテロジニアスネットワークが導入されることにより、ネットワークの構築が柔軟に実施できる一方、スモールセル（ｓｍａｌｌ Ｃｅｌｌ）との概念も導入された。Ｓｍａｌｌ Ｃｅｌｌは、通常、小さいカバレッジ範囲及び低い伝送電力を有し、ｓｍａｌｌ Ｃｅｌｌをユーザーからより近い位置（例えば、室内）に設置することにより、ユーザーのデータレートを向上することができる。
【０００３】
ＬＴＥ-Ａ（ＬＴＥ Ａｄｖａｎｃｅｄ，ＬＴＥ-Ａ）システムのピーク速度は、ＬＴＥシステムよりずいぶん速くなり、ダウンリンク１Ｇｂｐｓ、アップリンク５００Ｍｂｐｓとなる。また、ＬＴＥ-ＡシステムとＬＴＥシステムの優れる交換性が要求されている。ピーク速度の向上、ＬＴＥシステムとの交換性及びペクトルリソースの十分利用のニーズに合わせ、ＬＴＥ-Ａシステムには、キャリアアグリゲーション（Ｃａｒｒｉｅｒ Ａｇｇｒｅｇａｔｉｏｎ，ＣＡ）技術が導入された。
【０００４】
キャリアアグリゲーション技術とは、ＵＥ（Ｕｓｅｒ Ｅｑｕｉｐｍｅｎｔ，端末とも呼ばれる）複数のセルを同時にアグリゲーションし、複数のセルがＵＥのためにデータ伝送サービスを同時に提供するメカニズムである。キャリアアグリゲーションのシステムにおいて、それぞれのセルに対応するキャリアが周波数領域において連続または非連続されており、ＬＴＥシステムとの交換のため、各々セルキャリアの最大バンド幅は、２０ＭＨｚであり、各々コンポーネントキャリア間のバンド幅は、同一であってもよく、異なってもよい。
【０００５】
キャリアアグリゲーションの場合、ＵＥと繋がるセルは、１個のプライマリーセル（Ｐｒｉｍａｒｙ Ｃｅｌｌ，ＰＣｅｌｌ）及び複数のセカンダリセル（Ｓｅｃｏｎｄａｒｙ Ｃｅｌｌ，ＳＣｅｌｌ）より構成される。プライマリーセルは、大部分の制御及びシグナリングを担当し、例えば、ダウンリンクデータに対するＡ/Ｎフィードバック、チャンネル状態情報（Ｃｈａｎｎｅｌ Ｓｔａｔｅ Ｉｎｆｏｒｍａｔｉｏｎ，ＣＳＩ）報告、チャンネルサウンディング参照信号（Ｓｏｕｎｄｉｎｇ Ｒｅｆｅｒｅｎｃｅ Ｓｉｇｎａｌ，ＳＲＳ）、専用スケジューリングリクエスト（Ｄｅｄｉｃａｔｅｄ Ｓｃｈｅｄｕｌｉｎｇ Ｒｅｑｕｅｓｔ，Ｄ−ＳＲ）伝送，ＣＢＲＡ（Ｃｏｎｔｅｎｔｉｏｎ Ｂａｓｅｄ ＲＡｎｄｏｍ Ａｃｃｅｓｓ）を伝送することなどに用いられる。また、ＰＵＣＣＨ（Ｐｈｙｓｉｃａｌ Ｕｐｌｉｎｋ Ｃｏｎｔｒｏｌ Ｃｈａｎｎｅｌ，ＰＵＣＣＨ）は、ＰＣｅｌｌのみに位置される。セカンダリセルは、リソースとして、データ伝送の機能を有し、アップリンク方向において、ＰＵＳＣＨ（Ｐｈｙｓｉｃａｌ Ｕｐｌｉｎｋ Ｓｈａｒｅｄ Ｃｈａｎｎｅｌ）及びＳＲＳ伝送をサポートする。
【０００６】
現在、ＵＥのために設定されたサービスセル集合がＵＥのキャリアアグリゲーション容量より大きいといけない。即ち、アップリンクキャリアアグリゲーションをサポートしないＵＥは、アップリンクがＰＣｅｌｌのみにおいて行える。換言すれば、アップリンク伝送のプライマリー・コンポーネント・キャリアは、ＰＣｅｌｌのみにおいて存在される。
【０００７】
キャリアアグリゲーションの場合、ＵＥがよりよく節電できるようにするため、活性化/非活性化メカニズムを導入した。ＬＴＥ-Ａシステムにおける活性化/非活性化はひとつだけのセルに対し行い、ＵＬ/ＤＬを区別しない。具体的に、明示的及び暗示的との２種の実施手段がある。ただし、暗示的な手段は非活性化場合のみ採用されることを注意されたい。
【０００８】
明示的活性化/非活性化メカニズムとは、基地局が活性化または非活性化媒体を伝送することにより、制御エレメント（ＭＡＣ ＣＥ）にアクセスして、ＵＥのアグリゲーションセルの活性化状態を制御するものである。活性化または非活性化ＭＡＣ CEフォーマットは、図１に示すように、活性化または非活性化ＭＡＣ CEのサイズが８biｔsであり、それぞれが、C７，C６，C５，C４，C３，C２，C１，Rであり、ビットごとに１個のセルが対応される。即ち、最後のbiｔに対応するのはＰＣｅｌｌである。ＰＣｅｌｌが非活性化される恐れがないため、Ｒビットをデフォルト０にする。他のビットそれぞれが１個のＳＣｅｌｌに対応する。即ち、Ciは番号がiであるＳＣｅｌｌに対応する。Ciが「i=１」とする場合、当該ＳＣｅｌｌを活性化することを示し、Ciが「i=０」とする場合、当該ＳＣｅｌｌを非活性化することを示す。
【０００９】
暗示的非活性化メカニズムとは、１つの非活性化タイマーが導入されて暗示的非活性化を行う方法である。非活性化タイマーは、ＵＥの設定、セルのメンテナンスと関連するものである。基地局が当該タイマーを設置していなければ、当該タイマーの長さをデフォルト無限大（ｉｎｆｉｎｉｔｙ）にする。
【００１０】
非活性化タイミングはセルメンテナンスと関連し、非活性化タイマーメンテナンスは以下で説明する。ＵＥがあるセルに対する活性化シグナリングを受信した場合、前記セルに対応する非活性化タイマーを開始/再開始する。タイマーが運行する間、ＵＥが前記セルのアップリンクまたはダウンリンク伝送に対するスケジューリンシグナリングを受信すると、前記セルの非活性化タイマーを再開始する。キャリア間スケジューリンの場合、スケジューリン及びスケジューリンされるセルの非活性化タイマーを同時に開始する必要があること、注意されたい。ここで、アップリンクまたはダウンリンクデータ伝送に対するスケジューリンシグナリングは、ＰＤＣＣＨ（ＰＤＣＣＨ，Ｐｈｙｓｉｃａｌ Ｃｏｎｔｒｏｌ Ｃｈａｎｎｅｌ）を介して搬送され、非活性化タイマーがタイムアウトとなれば、ＵＥは前記セルを非活性化する。
【００１１】
総じて、ヘテロジニアスネットワーク設計の場合、マクロセル及びスモールセルの基地局がともに存在する。ＵＥとマクロセルの発送ポイント間の距離が通常にＵＥとスモールセルネットワークの発送ポイント間の距離より大きいため、ＵＥは、キャリアアグリゲーション伝送を行う。マクロセルをＵＥのＰＣｅｌｌとして設定する場合、ユーザーのアップリンク伝送キャリアは、ＰＣｅｌｌのみを介して伝送することしかできない。伝送電力が大きく且つセル内の他のユーザーに大きい干渉を与える。スモールセルをＵＥのＰＣｅｌｌとして設定する場合、スモールセルのカバレッジ範囲が小さくで、ＵＥが移動する場合、セルのハンドオーバーが頻繁に起こされ、ハンドオーバーの間、サービスの伝送が中断され、性能に大きいな影響を与える一方、コアネットワークのシグナリング負荷を増大す。また、従来技術において、セルのハンドオーバーを行う際、ＵＥのアップリンク伝送キャリア及びダウンリンク伝送キャリアにたいして、セル間のハンドオーバーを同時に行い、セル間において、ＵＥのアップリンク伝送キャリアのみに対して、ハンドオーバーすることができないため、異なるセルの伝メリットを同時に気を配ることができない。
【発明の概要】
【発明が解決しようとする課題】
【００１２】
本発明に係る実施例は、アップリンク伝送のプライマリー・コンポーネント・キャリアのハンドオーバー及びその制御方法、装置、基地局及びＵＥを提供して、ＵＥのアップリンク伝送のプライマリー・コンポーネント・キャリアを、ＵＥのためサービスを提供する複数の異なるセルの間において、ハンドオーバーを行い、ＵＥのアップリンク伝送のプライマリー・コンポーネント・キャリアが、柔軟に伝送できるようになり、伝送電力及びＵＥサービスの伝送要求両方に気を配ることができる。
【課題を解決するための手段】
【００１３】
本発明に係る実施例のアップリンク伝送のプライマリー・コンポーネント・キャリアのハンドオーバー制御方法は、前記ＵＥにサービスを提供するＵＥのため設定するセル集合の伝送リソースを決定するステップであって、前記伝送リソースは、前記ＵＥのアップリンク伝送のプライマリー・コンポーネント・キャリアの、異なる対応のセルのアップリンク伝送キャリアの間のハンドオーバーを実現するための、複数のセルのアップリンク伝送キャリアの割り当てリソースを含む前記決定ステップと、前記セル集合の伝送リソースを前記ＵＥに通知するステップとを備える。
【００１４】
本発明に係る実施例の前記アップリンク伝送のプライマリー・コンポーネント・キャリアのハンドオーバー制御方法によれば、前記ＵＥにサービスを提供するＵＥのため設定するセル集合の伝送リソースを決定することにより、ＵＥのアップリンク伝送のプライマリー・コンポーネント・キャリアが、前記ＵＥにサービスを提供するＵＥのために設定したセル集合内の複数の異なるセルの間のハンドオーバーを行えるようになり、ＵＥのアップリンク伝送のプライマリー・コンポーネント・キャリアが、柔軟に伝送できるようになり、伝送電力及びＵＥサービスの伝送要求両方に気を配ることができる。従来技術のマクロセルをプライマリーセルに設定して、マクロセルのアップリンク伝送キャリアを介して伝送することと比較すれば、伝送電力が大きくて、他のユーザーへの干渉が大きい問題を防ぐことができる。また、従来技術のスモールセルをプライマリーセルとして設定して、スモールセルのアップリンク伝送キャリアを介して伝送することと比較すれば、ＵＥの移動によるセルの頻繁なハンドオーバーにより起こされるサービスの中断及びコアネットワークシグナリング負荷の増大の問題点を防ぐことができる。さらに、従来技術のセルハンドオーバーの場合の、ＵＥのアップリンク伝送キャリア及びダウンリンク伝送キャリア両方のセル間のハンドオーバーと比較すれば、ＵＥのアップリンク伝送キャリアのみのセル間のハンドオーバーを実現して、異なるセルの伝送メリットに気を配ることができる。
【００１５】
１つの可能の実施態様において、本発明に係る実施例が提供する前記ハンドオーバー制御方法において、各々セルのアップリンク伝送キャリアの割り当てリソースは、ＣＢＲＡリソース、Ｄ−ＳＲリソース、及びＰＵＣＣＨリソースを含む。
【００１６】
１つの可能の実施態様において、本発明に係る実施例が提供する前記ハンドオーバー制御方法において、前記方法は、前記ＵＥにアップリンク伝送のプライマリー・コンポーネント・キャリアをハンドオーバーするように通知する。
【００１７】
本発明に係る実施例が提供する前記アップリンク伝送のプライマリー・コンポーネント・キャリアのハンドオーバー制御方法によれば、基地局がＵＥにアップリンク伝送のプライマリー・コンポーネント・キャリアをハンドオーバーするように通知することにより、ＵＥのためサービスを提供するセルが２個を超える場合、複数のセルから直ちに選択しようとするセルを特定でき、セルのハンドオーバーの正確性を向上することができる。
【００１８】
１つの可能の実施態様において、本発明に係る実施例が提供する前記ハンドオーバー制御方法において、前記ＵＥにアップリンク伝送のプライマリー・コンポーネント・キャリアをハンドオーバーするように通知するステップは、階層３、階層２または階層１の命令により、前記ＵＥに、特定のセルのアップリンク伝送キャリアを選択してアップリンク伝送のプライマリー・コンポーネント・キャリアとすることを通知するステップと、または、階層３、階層２または階層１の命令により、前記ＵＥに、アップリンク伝送のプライマリー・コンポーネント・キャリアのサブフレームの構成情報を通知するステップであって、アップリンク伝送のプライマリー・コンポーネント・キャリアに対応するセルとサブフレームの対応関係が含まれる前記通知ステップと、または、前記ＵＥのアップリンク伝送のプライマリー・コンポーネント・キャリアとする現行セカンダリセルのアップリンク伝送キャリアの割り当てリソースを非活性化することにより、プライマリーセルのアップリンク伝送キャリアをアップリンク伝送のプライマリー・コンポーネント・キャリアとすることを、前記ＵＥに指示するステップとを備える。
【００１９】
１つの可能の実施態様において、本発明に係る実施例が提供する前記ハンドオーバー制御方法において、階層３の命令により、前記ＵＥに、特定のセルのアップリンク伝送キャリアを選択してアップリンク伝送のプライマリー・コンポーネント・キャリアとすることを通知する場合、前記階層３の命令には、前記特定のセルのアップリンク伝送キャリアの割り当てリソースがさらに含まれる。
【００２０】
１つの可能の実施態様において、本発明に係る実施例が提供する前記ハンドオーバー制御方法において、前記ＵＥのためにアップリンク伝送キャリアの割り当てリソースを提供するセＵＥのルの数は、大なりイコール前記ＵＥの実際のアップリンク伝送に採用されるアップリンク伝送キャリアに対応するセルの数の最大値。
【００２１】
１つの可能の実施態様において、本発明に係る実施例が提供する前記ハンドオーバー制御方法において、前記ＵＥのために設定した、前記ＵＥにサービスを提供するセル集合の伝送リソースを決定する前に、前記方法は、アップリンク伝送のプライマリー・コンポーネント・キャリアのハンドオーバー容量をサポートする前記ＵＥの容量情報を、受信するステップを備え、前記ＵＥのために設定した、前記ＵＥにサービスを提供するセル集合の伝送リソースを決定するステップは、前記ＵＥから報告された前記容量情報に基づいて、前記ＵＥのために設定した、前記ＵＥにサービスを提供するセル集合の伝送リソースを決定するステップである。
【００２２】
本発明に係る実施例が提供するアップリンク伝送のプライマリー・コンポーネント・キャリアのハンドオーバー方法は、ＵＥが、ネットワーク側から通知された、前記ＵＥのためサービスを提供するセル集合の伝送リソースを獲得するステップであって、前記伝送リソースは、複数のセルのアップリンク伝送キャリアの割り当てリソースを含む前記獲得ステップと、前記ＵＥがアップリンク伝送のプライマリー・コンポーネント・キャリアのハンドオーバーを行う必要があると決定する場合、前記ＵＥが、新しいセルのアップリンク伝送キャリアの割り当てリソースにより、アップリンク伝送のプライマリー・コンポーネント・キャリアを、前記新しい対応のセルのアップリンク伝送キャリアにハンドオーバーするステップとを備える。
【００２３】
本発明に係る実施例が提供する前記アップリンク伝送のプライマリー・コンポーネント・キャリアのハンドオーバー方法において、ＵＥのために設定した、前記ＵＥにサービスを提供するセル集合のアップリンク伝送リソースを決定することにより、ＵＥのアップリンク伝送のプライマリー・コンポーネント・キャリアが、前記ＵＥにサービスを提供するＵＥのために設定したセル集合内の複数の異なるセルの間のハンドオーバーを行えるようになり、ＵＥのアップリンク伝送のプライマリー・コンポーネント・キャリアが、柔軟に伝送できるようになり、伝送電力及びＵＥサービスの伝送要求両方に気を配ることができる。また、従来技術のマクロセルをプライマリーセルに設定して、マクロセルのアップリンク伝送キャリアを介して伝送することと比較すれば、伝送電力が大きくて、他のユーザーへの干渉が大きい問題を防ぐことができる。さらに、従来技術のスモールセルをプライマリーセルとして設定して、スモールセルのアップリンク伝送キャリアを介して伝送することと比較すれば、ＵＥの移動によるセルの頻繁なハンドオーバーにより起こされるサービスの中断及びコアネットワークシグナリング負荷の増大の問題点を防ぐことができる。また、従来技術のセルハンドオーバーの場合の、ＵＥのアップリンク伝送キャリア及びダウンリンク伝送キャリア両方のセル間のハンドオーバーと比較すれば、ＵＥのアップリンク伝送キャリアのみのセル間のハンドオーバーを実現して、異なるセルの伝送メリットに気を配ることができる。
【００２４】
１つの可能の実施態様において、本発明に係る実施例が提供する前記ハンドオーバー方法において、前記ＵＥは、ネットワーク側から送信されたアップリンク伝送のプライマリー・コンポーネント・キャリアをハンドオーバーする通知に基づき、アップリンク伝送する必要があるプライマリー・コンポーネント・キャリアのハンドオーバーを決定する。
【００２５】
本発明に係る実施例が提供する前記アップリンク伝送のプライマリー・コンポーネント・キャリアのハンドオーバー制御方法において、ネットワーク側がＵＥに、アップリンク伝送のプライマリー・コンポーネント・キャリアをハンドオーバーすることを通知することにより、ＵＥのためサービスを提供するセルが２個を超える場合、複数のセルから直ちに選択しようとするセルを特定でき、セルのハンドオーバーの正確性を向上することができる。
【００２６】
１つの可能の実施態様において、本発明に係る実施例が提供する前記ハンドオーバー方法において、前記ＵＥは、下記のいずれの態様により、ネットワーク側から送信されたアップリンク伝送のプライマリー・コンポーネント・キャリアをハンドオーバーする通知を受信する。階層３、階層２または階層１の命令により、ネットワーク側から送信された、特定のセルのアップリンク伝送キャリアを選択してアップリンク伝送のプライマリー・コンポーネント・キャリアとする通知を受信する。または、階層３、階層２または階層１の命令により、ネットワーク側から送信された、アップリンク伝送のプライマリー・コンポーネント・キャリアのサブフレームの構成情報の通知を受信するステップであって、アップリンク伝送のプライマリー・コンポーネント・キャリアに対応するセルとサブフレームの対応関係が含まれる前記受信ステップと、または、ネットワーク側から送信された、前記ＵＥのアップリンク伝送のプライマリー・コンポーネント・キャリアである現行セカンダリセルのアップリンク伝送キャリアの割り当てリソースを非活性化する命令を、前記ＵＥがプライマリーセルのアップリンク伝送キャリアをアップリンク伝送のプライマリー・コンポーネント・キャリアとする通知とするステップとを備える。
【００２７】
１つの可能の実施態様において、本発明に係る実施例が提供する前記ハンドオーバー方法において、前記ＵＥが階層３の命令により、ネットワーク側から送信された、特定のセルのアップリンク伝送キャリアを選択してアップリンク伝送のプライマリー・コンポーネント・キャリアとする通知を受信する場合、前記方法は、前記ＵＥが、前記階層３の命令から、前記特定のセルのアップリンク伝送キャリアの割り当てリソースを獲得するステップをさらに備える。前記ＵＥが、新しいセルのアップリンク伝送キャリアの割り当てリソースにより、アップリンク伝送のプライマリー・コンポーネント・キャリアを、前記新しい対応のセルのアップリンク伝送キャリアにハンドオーバーするステップは、前記ＵＥが、前記階層３の命令から獲得した前記特定のセルのアップリンク伝送キャリアの割り当てリソースにより、アップリンク伝送のプライマリー・コンポーネント・キャリアを、前記特定の対応のセルのアップリンク伝送キャリアにハンドオーバーするステップである。
【００２８】
１つの可能の実施態様において、本発明に係る実施例が提供する前記ハンドオーバー方法において、前記ＵＥは、下記のいずれの態様により、アップリンク伝送する必要があるプライマリー・コンポーネント・キャリアのハンドオーバーを決定する。前記ＵＥは、自ら開始したランダムアクセスにより、プリアンブルシーケンスが位置する伝送キャリアをアップリンク伝送のプライマリー・コンポーネント・キャリアとすることを決定し、前記ＵＥは、自ら開始したＤ−ＳＲにより、Ｄ−ＳＲが位置するキャリアをアップリンク伝送のプライマリー・コンポーネント・キャリアとすることを決定し、前記ＵＥがネットワーク側から、前記複数のセルのうちの１つのセルに対するアップリンクスケジューリン命令を受信した場合、前記ＵＥは、需要将前記セルのアップリンク伝送キャリアをアップリンク伝送のプライマリー・コンポーネント・キャリアとすることを決定する。
【００２９】
１つの可能の実施態様において、本発明に係る実施例が提供する前記ハンドオーバー方法において、前記ＵＥが、自ら開始したランダムアクセスにより、プリアンブルシーケンスが位置する伝送キャリアをアップリンク伝送のプライマリー・コンポーネント・キャリアとすることを決定する場合、前記方法は、前記ＵＥが、目下、セカンダリセルのアップリンク伝送キャリアを選択してアップリンク伝送のプライマリー・コンポーネント・キャリアとし、且つ前記セカンダリセルにはＣＢＲＡ及びＤ−ＳＲリソースが設定されていなければ、前記ＵＥがアップリンクスケジューリンリクエストを開始する場合、前記ＵＥは、プライマリーセルにハンドオーバーしてＣＢＲＡを開始し、プライマリーセルのアップリンク伝送キャリアをアップリンク伝送のプライマリー・コンポーネント・キャリアとするステップ、または、前記ＵＥが、目下、セカンダリセルのアップリンク伝送キャリアを選択してアップリンク伝送のプライマリー・コンポーネント・キャリアとし、且つ前記セカンダリセルにはＤ−ＳＲリソースのみが設定されれば、前記セカンダリセルにおいて前記ＵＥのＤ−ＳＲ伝送が失敗される場合、前記ＵＥは、プライマリーセルにハンドオーバーしてＣＢＲＡを開始し、プライマリーセルのアップリンク伝送キャリアをアップリンク伝送のプライマリー・コンポーネント・キャリアとするステップ、または、前記ＵＥが、目下、セカンダリセルのアップリンク伝送キャリアを選択してアップリンク伝送のプライマリー・コンポーネント・キャリアとし、且つ前記セカンダリセルの伝送クオリティが要求を満たさない場合、前記ＵＥは、プライマリーセルのアップリンク伝送キャリアをアップリンク伝送のプライマリー・コンポーネント・キャリアとして、ＲＡを開始するステップを備える。
【００３０】
１つの可能の実施態様において、本発明に係る実施例が提供する前記ハンドオーバー方法において、前記ＵＥが、自ら開始したＤ−ＳＲにより、Ｄ−ＳＲが位置するキャリアをアップリンク伝送のプライマリー・コンポーネント・キャリアとすることを決定する場合、前記方法は、前記ＵＥが、目下、セカンダリセルのアップリンク伝送キャリアを選択してアップリンク伝送のプライマリー・コンポーネント・キャリアとし、且つ前記セカンダリセルにはＣＢＲＡ及びＤ−ＳＲリソースが設定されていなければ、前記ＵＥがアップリンクスケジューリンリクエストを開始する場合、前記ＵＥは、プライマリーセルにハンドオーバーしてＤ−ＳＲを開始し、プライマリーセルのアップリンク伝送キャリアをアップリンク伝送のプライマリー・コンポーネント・キャリアとする。
【００３１】
１つの可能の実施態様において、本発明に係る実施例が提供する前記ハンドオーバー方法において、選択されていないアップリンク伝送キャリアについて、前記方法は、下記いずれのステップまたはこれらの任意の組み合わせを備える。前記ＵＥは、前記アップリンク伝送キャリアの全部の割り当てリソースを維持する。前記ＵＥは、前記アップリンク伝送キャリアにおける全部の伝送を停止する。前記ＵＥは、前記アップリンク伝送キャリアに対応するＨＡＲＱ （Ｈｙｂｒｉｄ Ａｕｔｏｍａｔｉｃ Ｒｅｐｅａｔ Ｒｅｑｕｅｓｔ，ＨＡＲＱ）バッファーを除去し、前記アップリンク伝送キャリアに対応するアップリンク許可情報を除去する。前記ＵＥは、アップリンク媒体アクセス制御(Ｍｅｄｉａ Ａｃｃｅｓｓ Ｃｏｎｔｒｏｌ  ＭＡＣ)と関連するコンテキストをリセットする。
【００３２】
１つの可能の実施態様において、本発明に係る実施例が提供する前記ハンドオーバー方法において、前記方法は、前記ＵＥが、目下、プライマリー対応のセルのアップリンク伝送キャリアを選択してアップリンク伝送のプライマリー・コンポーネント・キャリアとすれば、前記ＵＥがネットワーク側からセカンダリセルを活性化する命令を受信した場合、前記ＵＥは、前記セカンダリセルのダウンリンク伝送リソースのみを活性化するステップと、前記ＵＥが、目下、セカンダリ対応のセルのアップリンク伝送キャリアを選択してアップリンク伝送のプライマリー・コンポーネント・キャリアとすれば、前記ＵＥがネットワーク側からセカンダリセルを非活性化する命令を受信した場合、前記ＵＥは、前記セカンダリセルのアップリンク伝送リソースのみを非活性化し、プライマリー対応のセルのアップリンク伝送キャリアをアップリンク伝送のプライマリー・コンポーネント・キャリアとするステップとを備える。
【００３３】
１つの可能の実施態様において、本発明に係る実施例が提供する前記ハンドオーバー方法において、前記ＵＥが、ネットワーク側から通知された、前記ＵＥにサービスを提供するためのセル集合の伝送リソースを獲得する前、前記方法は、前記ＵＥは、アップリンク伝送のプライマリー・コンポーネント・キャリアのハンドオーバー容量をサポートする前記ＵＥの容量情報を、ネットワーク側に報告するステップをさらに備える。
【００３４】
１つの可能の実施態様において、本発明に係る実施例が提供する前記ハンドオーバー方法において、前記ＵＥがｎタイミングにおいて、アップリンク伝送する必要があるプライマリー・コンポーネント・キャリアのハンドオーバーを決定すれば、ｎ＋ｋタイミングにおいて、新しいアップリンク伝送のプライマリー・コンポーネント・キャリアが発効されるステップであって、k>=０である前記発効ステップと、前記ＵＥは、ｎタイミングまたはｎ＋ｋタイミングにおいて、最初のアップリンク伝送のプライマリー・コンポーネント・キャリアにおける伝送を停止するステップとを備える。
【００３５】
本発明に係る実施例が提供するアップリンク伝送のプライマリー・コンポーネント・キャリアのハンドオーバー制御装置は、ＵＥのために設定した、前記ＵＥにサービスを提供するセル集合の伝送リソースを決定するリソース決定ユニットであって、前記ＵＥのアップリンク伝送のプライマリー・コンポーネント・キャリアの、異なる対応のセルのアップリンク伝送キャリアの間のハンドオーバーを実現するための、複数のセルのアップリンク伝送キャリアの割り当てリソースが含まれるリソース決定ユニットと、前記リソースを決定ユニットに接続されて、前記セル集合の伝送リソースを前記ＵＥに通知する送信ユニットとを備える。
【００３６】
本発明に係る実施例が提供する前記アップリンク伝送のプライマリー・コンポーネント・キャリアのハンドオーバー制御装置において、ＵＥのために設定した、前記ＵＥにサービスを提供するセル集合のアップリンク伝送リソースを決定することにより、ＵＥのアップリンク伝送のプライマリー・コンポーネント・キャリアが、前記ＵＥにサービスを提供するＵＥのために設定したセル集合内の複数の異なるセルの間のハンドオーバーを行えるようになり、ＵＥのアップリンク伝送のプライマリー・コンポーネント・キャリアが、柔軟に伝送できるようになり、伝送電力及びＵＥサービスの伝送要求両方に気を配ることができる。また、従来技術のマクロセルをプライマリーセルに設定して、マクロセルのアップリンク伝送キャリアを介して伝送することと比較すれば、伝送電力が大きくて、他のユーザーへの干渉が大きい問題を防ぐことができる。さらに、従来技術のスモールセルをプライマリーセルとして設定して、スモールセルのアップリンク伝送キャリアを介して伝送することと比較すれば、ＵＥの移動によるセルの頻繁なハンドオーバーにより起こされるサービスの中断及びコアネットワークシグナリング負荷の増大の問題点を防ぐことができる。また、従来技術のセルハンドオーバーの場合の、ＵＥのアップリンク伝送キャリア及びダウンリンク伝送キャリア両方のセル間のハンドオーバーと比較すれば、ＵＥのアップリンク伝送キャリアのみのセル間のハンドオーバーを実現して、異なるセルの伝送メリットに気を配ることができる。
【００３７】
１つの可能の実施態様において、本発明に係る実施例が提供する前記ハンドオーバー制御装置において、各々セルのアップリンク伝送キャリアの割り当てリソースは、ＣＢＲＡリソース、Ｄ−ＳＲリソース、及びＰＵＣＣＨリソースを含む。
【００３８】
１つの可能の実施態様において、本発明に係る実施例が提供する前記ハンドオーバー制御装置において、前記送信ユニットは、前記ＵＥにアップリンク伝送のプライマリー・コンポーネント・キャリアをハンドオーバーするように通知する。
【００３９】
本発明に係る実施例が提供する前記アップリンク伝送のプライマリー・コンポーネント・キャリアのハンドオーバー制御方法において、基地局がＵＥにアップリンク伝送のプライマリー・コンポーネント・キャリアをハンドオーバーするように通知することにより、ＵＥのためサービスを提供するセルが２個を超える場合、複数のセルから直ちに選択しようとするセルを特定でき、セルのハンドオーバーの正確性を向上することができる。
【００４０】
１つの可能の実施態様において、本発明に係る実施例が提供する前記ハンドオーバー制御装置中，前記送信ユニット前記ＵＥにアップリンク伝送のプライマリー・コンポーネント・キャリアをハンドオーバーするように通知する場合、階層３、階層２または階層１の命令により、前記ＵＥに、特定のセルのアップリンク伝送キャリアを選択してアップリンク伝送のプライマリー・コンポーネント・キャリアとすることを通知するか、または、階層３、階層２または階層１の命令により、前記ＵＥに、アップリンク伝送のプライマリー・コンポーネント・キャリアのサブフレームの構成情報を通知し、ここで、アップリンク伝送のプライマリー・コンポーネント・キャリアに対応するセルとサブフレームの対応関係が含まれるか、または、前記ＵＥのアップリンク伝送のプライマリー・コンポーネント・キャリアとする現行セカンダリセルのアップリンク伝送キャリアの割り当てリソースを非活性化することにより、プライマリーセルのアップリンク伝送キャリアをアップリンク伝送のプライマリー・コンポーネント・キャリアとすることを、前記ＵＥに指示する。
【００４１】
１つの可能の実施態様において、本発明に係る実施例が提供する前記ハンドオーバー制御装置中，前記送信ユニットは、階層３の命令により、前記ＵＥに、特定のセルのアップリンク伝送キャリアを選択してアップリンク伝送のプライマリー・コンポーネント・キャリアとすることを通知する場合、前記階層３の命令には、前記特定のセルのアップリンク伝送キャリアの割り当てリソースがさらに含まれる。
【００４２】
１つの可能の実施態様において、本発明に係る実施例が提供する前記ハンドオーバー制御装置において、前記ＵＥのためにアップリンク伝送キャリアの割り当てリソースを提供するセＵＥのルの数は、大なりイコール前記ＵＥの実際のアップリンク伝送に採用されるアップリンク伝送キャリアに対応するセルの数の最大値。
【００４３】
１つの可能の実施態様において、本発明に係る実施例が提供する前記ハンドオーバー制御装置において、前記リソース決定ユニットに接続され、前記ＵＥのために設定した、前記ＵＥにサービスを提供するセル集合の伝送リソースを決定する前、アップリンク伝送のプライマリー・コンポーネント・キャリアのハンドオーバー容量をサポートする前記ＵＥの容量情報を、受信する受信ユニットをさらに備える。前記リソース決定ユニットが前記ＵＥのために設定した、前記ＵＥにサービスを提供するセル集合の伝送リソースを決定することは、前記ＵＥから報告された前記容量情報に基づいて、前記ＵＥのために設定した、前記ＵＥにサービスを提供するセル集合の伝送リソースを決定することである。
【００４４】
本発明に係る実施例が提供するアップリンク伝送のプライマリー・コンポーネント・キャリアのハンドオーバー装置は、ネットワーク側から通知された、ＵＥにサービスを提供するためのセル集合の伝送リソースを獲得する獲得ユニットであって、複数のセルのアップリンク伝送キャリアの割り当てリソースが含まれる前記獲得ユニットと、前記獲得ユニットに接続され、アップリンク伝送する必要があるプライマリー・コンポーネント・キャリアのハンドオーバーを決定する場合、新しいセルのアップリンク伝送キャリアの割り当てリソースにより、アップリンク伝送のプライマリー・コンポーネント・キャリアを、前記新しい対応のセルのアップリンク伝送キャリアにハンドオーバーする処理ユニットとを備える。
【００４５】
本発明に係る実施例が提供する前記アップリンク伝送のプライマリー・コンポーネント・キャリアのハンドオーバー装置において、ＵＥのために設定した、前記ＵＥにサービスを提供するセル集合のアップリンク伝送リソースを決定することにより、ＵＥのアップリンク伝送のプライマリー・コンポーネント・キャリアが、前記ＵＥにサービスを提供するＵＥのために設定したセル集合内の複数の異なるセルの間のハンドオーバーを行えるようになり、ＵＥのアップリンク伝送のプライマリー・コンポーネント・キャリアが、柔軟に伝送できるようになり、伝送電力及びＵＥサービスの伝送要求両方に気を配ることができる。また、従来技術のマクロセルをプライマリーセルに設定して、マクロセルのアップリンク伝送キャリアを介して伝送することと比較すれば、伝送電力が大きくて、他のユーザーへの干渉が大きい問題を防ぐことができる。さらに、従来技術のスモールセルをプライマリーセルとして設定して、スモールセルのアップリンク伝送キャリアを介して伝送することと比較すれば、ＵＥの移動によるセルの頻繁なハンドオーバーにより起こされるサービスの中断及びコアネットワークシグナリング負荷の増大の問題点を防ぐことができる。そして、従来技術のセルハンドオーバーの場合の、ＵＥのアップリンク伝送キャリア及びダウンリンク伝送キャリア両方のセル間のハンドオーバーと比較すれば、ＵＥのアップリンク伝送キャリアのみのセル間のハンドオーバーを実現して、異なるセルの伝送メリットに気を配ることができる。
【００４６】
１つの可能の実施態様において、本発明に係る実施例が提供する前記ハンドオーバー装置において、前記処理ユニットは、ネットワーク側から送信されたアップリンク伝送のプライマリー・コンポーネント・キャリアをハンドオーバーする通知に基づいて、アップリンク伝送する必要があるプライマリー・コンポーネント・キャリアのハンドオーバーを決定する。
【００４７】
本発明に係る実施例が提供する前記アップリンク伝送のプライマリー・コンポーネント・キャリアのハンドオーバー制御方法によれば、ネットワーク側がＵＥに、アップリンク伝送のプライマリー・コンポーネント・キャリアをハンドオーバーすることを通知することにより、ＵＥのためサービスを提供するセルが２個を超える場合、複数のセルから直ちに選択しようとするセルを特定でき、セルのハンドオーバーの正確性を向上することができる。
【００４８】
１つの可能の実施態様において、本発明に係る実施例が提供する前記ハンドオーバー装置において、前記処理ユニットは下記のいずれの態様により、ネットワーク側から送信されたアップリンク伝送のプライマリー・コンポーネント・キャリアをハンドオーバーする通知を、受信する。階層３、階層２または階層１の命令により、ネットワーク側から送信された、特定のセルのアップリンク伝送キャリアを選択してアップリンク伝送のプライマリー・コンポーネント・キャリアとする通知を受信するか、または、階層３、階層２または階層１の命令により、ネットワーク側から送信された、アップリンク伝送のプライマリー・コンポーネント・キャリアのサブフレームの構成情報の通知を受信し、ここで、アップリンク伝送のプライマリー・コンポーネント・キャリアに対応するセルとサブフレームの対応関係が含まれるか、または、ネットワーク側から送信された、アップリンク伝送のプライマリー・コンポーネント・キャリアであるセカンダリセルのアップリンク伝送キャリアの割り当てリソースを非活性化する命令を、プライマリーセルのアップリンク伝送キャリアをアップリンク伝送のプライマリー・コンポーネント・キャリアとする通知とする。
【００４９】
１つの可能の実施態様において、本発明に係る実施例が提供する前記ハンドオーバー装置において、前記処理ユニットが、ネットワーク側から階層３の命令により送信した、特定のセルのアップリンク伝送キャリアを選択してアップリンク伝送のプライマリー・コンポーネント・キャリアとする通知を受信する場合、前記獲得ユニットは、前記階層３の命令から前記特定のセルのアップリンク伝送キャリアの割り当てリソースを獲得する。前記処理ユニットが、新しいセルのアップリンク伝送キャリアの割り当てリソースにより、アップリンク伝送のプライマリー・コンポーネント・キャリアを、前記新しい対応のセルのアップリンク伝送キャリアにハンドオーバーすることは、前記階層３の命令から獲得した前記特定のセルのアップリンク伝送キャリアの割り当てリソースにより、アップリンク伝送のプライマリー・コンポーネント・キャリアを、前記特定の対応のセルのアップリンク伝送キャリアにハンドオーバーする。
【００５０】
１つの可能の実施態様において、本発明に係る実施例が提供する前記ハンドオーバー装置において、前記処理ユニットは、下記のいずれの態様により、アップリンク伝送する必要があるプライマリー・コンポーネント・キャリアのハンドオーバーを決定する。自ら開始したランダムアクセスにより、プリアンブルシーケンスが位置する伝送キャリアをアップリンク伝送のプライマリー・コンポーネント・キャリアとすることを決定する。自ら開始したＤ−ＳＲにより、Ｄ−ＳＲが位置するキャリアをアップリンク伝送のプライマリー・コンポーネント・キャリアとすることを決定する。ネットワーク側から送信された前記複数のセルのうちの１つのセルに対するアップリンクスケジューリン命令を受信する場合、前記セルのアップリンク伝送キャリアをアップリンク伝送のプライマリー・コンポーネント・キャリアとすることを決定する。
【００５１】
１つの可能の実施態様において、本発明に係る実施例が提供する前記ハンドオーバー装置において、前記処理ユニットが、自ら開始したランダムアクセスにより、プリアンブルシーケンスが位置する伝送キャリアをアップリンク伝送のプライマリー・コンポーネント・キャリアとすることを決定する場合、前記処理ユニットは、目下、セカンダリセルのアップリンク伝送キャリアを選択して、アップリンク伝送のプライマリー・コンポーネント・キャリアとし、前記セカンダリセルには、ＣＢＲＡ及びＤ−ＳＲリソースが割り当てられていなければ、目下、セカンダリセルのアップリンク伝送キャリアを選択して、アップリンク伝送のプライマリー・コンポーネント・キャリアとしアップリンクスケジューリンリクエストを開始する必要がある場合、目下、セカンダリセルのアップリンク伝送キャリアを選択して、アップリンク伝送のプライマリー・コンポーネント・キャリアとしプライマリーセルにハンドオーバーしてＣＢＲＡを開始し、プライマリーセルのアップリンク伝送キャリアをアップリンク伝送のプライマリー・コンポーネント・キャリアとするか、または、目下、セカンダリセルのアップリンク伝送キャリアを選択して、アップリンク伝送のプライマリー・コンポーネント・キャリアとし、前記セカンダリセルにはＤ−ＳＲリソースのみが割り当てられれば、前記セカンダリセルにおいてＤ−ＳＲ伝送が失敗となった場合、目下、セカンダリセルのアップリンク伝送キャリアを選択して、アップリンク伝送のプライマリー・コンポーネント・キャリアとしプライマリーセルにハンドオーバーしてＣＢＲＡを開始し、プライマリーセルのアップリンク伝送キャリアをアップリンク伝送のプライマリー・コンポーネント・キャリアとするか、または、目下、セカンダリセルのアップリンク伝送キャリアを選択してアップリンク伝送のプライマリー・コンポーネント・キャリアとし、前記セカンダリセルの伝送クオリティが要求を満たさなければ、プライマリーセルのアップリンク伝送キャリアをアップリンク伝送のプライマリー・コンポーネント・キャリアとし、ＲＡを開始する。
【００５２】
１つの可能の実施態様において、本発明に係る実施例が提供する前記ハンドオーバー装置において、前記処理ユニットが、自ら開始したＤ−ＳＲにより、Ｄ−ＳＲが位置するキャリアをアップリンク伝送のプライマリー・コンポーネント・キャリアとすることを決定する場合、前記処理ユニットは、目下、セカンダリセルのアップリンク伝送キャリアを選択して、アップリンク伝送のプライマリー・コンポーネント・キャリアとし、前記セカンダリセルには、ＣＢＲＡ及びＤ−ＳＲリソースが割り当てられていなければ、目下、セカンダリセルのアップリンク伝送キャリアを選択して、アップリンク伝送のプライマリー・コンポーネント・キャリアとしアップリンクスケジューリンリクエストを開始する必要がある場合、プライマリーセルにハンドオーバーしてＤ−ＳＲを開始し、プライマリーセルのアップリンク伝送キャリアをアップリンク伝送のプライマリー・コンポーネント・キャリアとする。
【００５３】
１つの可能の実施態様において、本発明に係る実施例が提供する前記ハンドオーバー装置において、選択されていないアップリンク伝送キャリアについて、前記処理ユニットは、下記いずれのステップまたはこれらのスッテプの組み合わせに用いられる。前記アップリンク伝送キャリアの全部の割り当てリソースを維持する。前記アップリンク伝送キャリアにおける全部の伝送を停止する。前記アップリンク伝送キャリアに対応するＨＡＲＱバッファーを除去し、前記アップリンク伝送キャリアに対応するアップリンク許可情報を除去する。媒体アクセス制御（ＭＡＣ）アップリンクと関連するコンテキストをリセットする。
【００５４】
１つの可能の実施態様において、本発明に係る実施例が提供する前記ハンドオーバー装置において、前記処理ユニットは、目下、プライマリー対応のセルのアップリンク伝送キャリアを選択してアップリンク伝送のプライマリー・コンポーネント・キャリアとすれば、ネットワーク側から送信された、セカンダリセルを活性化する命令を受信した場合、前記セカンダリセルのダウンリンク伝送リソースのみを活性化し、目下、セカンダリ対応のセルのアップリンク伝送キャリアを選択してアップリンク伝送のプライマリー・コンポーネント・キャリアとすれば、ネットワーク側から送信された、セカンダリセルを非活性化する命令を受信した場合、前記セカンダリセルのアップリンク伝送リソースのみを非活性化し、プライマリー対応のセルのアップリンク伝送キャリアをアップリンク伝送のプライマリー・コンポーネント・キャリアとする。
【００５５】
１つの可能の実施態様において、本発明に係る実施例が提供する前記ハンドオーバー装置において、前記獲得ユニットに接続され、ネットワーク側から通知された、前記ＵＥにサービスを提供するためのセル集合の伝送リソースを獲得する前、アップリンク伝送のプライマリー・コンポーネント・キャリアのハンドオーバー容量をサポートする容量情報を、ネットワーク側に報告する報告ユニットをさらに備える。
【００５６】
１つの可能の実施態様において、本発明に係る実施例が提供する前記ハンドオーバー装置において、前記処理ユニットは、ｎタイミングにおいて、アップリンク伝送する必要があるプライマリー・コンポーネント・キャリアのハンドオーバーを決定すれば、ｎ＋ｋタイミングにおいて、新しいアップリンク伝送のプライマリー・コンポーネント・キャリアが発効され、k>=０であり、ｎタイミングまたはｎ＋ｋタイミングにおいて、最初のアップリンク伝送のプライマリー・コンポーネント・キャリアにおける伝送を停止する。
【００５７】
本発明に係る実施例により提供される基地局は、本発明に係る実施例が提供する前記アップリンク伝送のプライマリー・コンポーネント・キャリアのハンドオーバー制御装置を備える。
【００５８】
本発明に係る実施例により提供される前記基地局によれば、基地局にアップリンク伝送のプライマリー・コンポーネント・キャリアのハンドオーバー制御装置を追加し、ＵＥのために設定した、前記ＵＥにサービスを提供するセル集合のアップリンク伝送リソースを決定することにより、ＵＥのアップリンク伝送のプライマリー・コンポーネント・キャリアが、前記ＵＥにサービスを提供するＵＥのために設定したセル集合内の複数の異なるセルの間のハンドオーバーを行えるようになり、ＵＥのアップリンク伝送のプライマリー・コンポーネント・キャリアが、柔軟に伝送できるようになり、伝送電力及びＵＥサービスの伝送要求両方に気を配ることができる。また、従来技術のマクロセルをプライマリーセルに設定して、マクロセルのアップリンク伝送キャリアを介して伝送することと比較すれば、伝送電力が大きくて、他のユーザーへの干渉が大きい問題を防ぐことができる。さらに、従来技術のスモールセルをプライマリーセルとして設定して、スモールセルのアップリンク伝送キャリアを介して伝送することと比較すれば、ＵＥの移動によるセルの頻繁なハンドオーバーにより起こされるサービスの中断及びコアネットワークシグナリング負荷の増大の問題点を防ぐことができる。そして、従来技術のセルハンドオーバーの場合の、ＵＥのアップリンク伝送キャリア及びダウンリンク伝送キャリア両方のセル間のハンドオーバーと比較すれば、ＵＥのアップリンク伝送キャリアのみのセル間のハンドオーバーを実現して、異なるセルの伝送メリットに気を配ることができる。
【００５９】
本発明に係る実施例により提供されるＵＥは、本発明に係る実施例が提供する前記アップリンク伝送のプライマリー・コンポーネント・キャリアのハンドオーバー装置を備える。
【発明の効果】
【００６０】
本発明に係る実施例により提供されるＵＥによれば、ＵＥに、アップリンク伝送のプライマリー・コンポーネント・キャリアのハンドオーバー装置を加え、ＵＥのために設定した、前記ＵＥにサービスを提供するセル集合のアップリンク伝送リソースを決定することにより、ＵＥのアップリンク伝送のプライマリー・コンポーネント・キャリアが、前記ＵＥにサービスを提供するＵＥのために設定したセル集合内の複数の異なるセルの間のハンドオーバーを行えるようになり、ＵＥのアップリンク伝送のプライマリー・コンポーネント・キャリアが、柔軟に伝送できるようになり、伝送電力及びＵＥサービスの伝送要求両方に気を配ることができる。また、従来技術のマクロセルをプライマリーセルに設定して、マクロセルのアップリンク伝送キャリアを介して伝送することと比較すれば、伝送電力が大きくて、他のユーザーへの干渉が大きい問題を防ぐことができる。さらに、従来技術のスモールセルをプライマリーセルとして設定して、スモールセルのアップリンク伝送キャリアを介して伝送することと比較すれば、ＵＥの移動によるセルの頻繁なハンドオーバーにより起こされるサービスの中断及びコアネットワークシグナリング負荷の増大の問題点を防ぐことができる。そして、従来技術のセルハンドオーバーの場合の、ＵＥのアップリンク伝送キャリア及びダウンリンク伝送キャリア両方のセル間のハンドオーバーと比較すれば、ＵＥのアップリンク伝送キャリアのみのセル間のハンドオーバーを実現して、異なるセルの伝送メリットに気を配ることができる。
【図面の簡単な説明】
【００６１】
【図１】従来技術の中媒体アクセス制御エレメントフォーマットの構造図である。
【図２】本発明に係る実施例により提供されるアップリンク伝送のプライマリー・コンポーネント・キャリアのハンドオーバー制御方法のフローチャートである。
【図３】本発明に係る実施例により提供されるアップリンク伝送のプライマリー・コンポーネント・キャリアのハンドオーバー方法のフローチャートである。
【図４】本発明に係る実施例により提供されるアップリンク伝送のプライマリー・コンポーネント・キャリアのハンドオーバー制御装置の構造図である。
【図５】本発明に係る実施例により提供されるアップリンク伝送のプライマリー・コンポーネント・キャリアのハンドオーバー装置の構造図である。
【図６】本発明に係る実施例により提供される１つの基地局の構造図である。
【図７】本発明に係る実施例により提供される１つのＵＥの構造図である。
【発明を実施するための形態】
【００６２】
以下、図面を参照しながら、本発明に係る実施例により提供されるハンドオーバー制御、ハンドオーバー方法、装置、基地局及びＵＥの実施仕様を詳しく説明する。
【００６３】
基地局側において、本発明に係る実施例により提供されるアップリンク伝送のプライマリー・コンポーネント・キャリアのハンドオーバー制御方法は、図２に示すように以下のステップを備える。
【００６４】
ステップ２０２において、ＵＥのために設定した、前記ＵＥにサービスを提供するセル集合の伝送リソースを決定する。前記ＵＥのアップリンク伝送のプライマリー・コンポーネント・キャリアの、異なる対応のセルのアップリンク伝送キャリアの間のハンドオーバーを実現するための、複数のセルのアップリンク伝送キャリアの割り当てリソースが含まれる。
【００６５】
ステップ２０４において、セル集合の伝送リソースを前記ＵＥに通知する。
【００６６】
本発明に係る実施例において、目下、ＵＥがアップリンクデータを伝送するアップリンク伝送キャリアを、アップリンク伝送のプライマリー・コンポーネント・キャリアと称する。
【００６７】
本発明に係る実施例により提供されるアップリンク伝送のプライマリー・コンポーネント・キャリアのハンドオーバー制御方法において、前記ＵＥにサービスを提供するＵＥのため設定するセル集合の伝送リソースを決定することにより、ＵＥのアップリンク伝送のプライマリー・コンポーネント・キャリアが、前記ＵＥにサービスを提供するＵＥのために設定したセル集合内の複数の異なるセルの間のハンドオーバーを行えるようになり、ＵＥのアップリンク伝送のプライマリー・コンポーネント・キャリアが、柔軟に伝送できるようになり、伝送電力及びＵＥサービスの伝送要求両方に気を配ることができる。また、従来技術のマクロセルをプライマリーセルに設定して、マクロセルのアップリンク伝送キャリアを介して伝送することと比較すれば、伝送電力が大きくて、他のユーザーへの干渉が大きい問題を防ぐことができる。さらに、従来技術のスモールセルをプライマリーセルとして設定して、スモールセルのアップリンク伝送キャリアを介して伝送することと比較すれば、ＵＥの移動によるセルの頻繁なハンドオーバーにより起こされるサービスの中断及びコアネットワークシグナリング負荷の増大の問題点を防ぐことができる。そして、従来技術のセルハンドオーバーの場合の、ＵＥのアップリンク伝送キャリア及びダウンリンク伝送キャリア両方のセル間のハンドオーバーと比較すれば、ＵＥのアップリンク伝送キャリアのみのセル間のハンドオーバーを実現して、異なるセルの伝送メリットに気を配ることができる。
【００６８】
実際の実施において、ＵＥの非アクセス層（Ｎｏｎ-Ａｃｃｅｓｓ Ｓｔｒａｔｕｍ，ＮＡＳ）の移動性及び安全性はＰＣｅｌｌと結合され、アップリンク伝送のプライマリー・コンポーネント・キャリアの異なるセル間のハンドオーバーにより、変化するものではない。
【００６９】
当然、基地局が、ＵＥのために設定した、前記ＵＥにサービスを提供するセル集合の伝送リソースを決定する場合、前記伝送リソースは、ＵＥのアップリンク伝送リソース及びダウンリンクキャリアリソースを含む。即ち、基地局は、セル集合中の複数のセルのアップリンク伝送リソース及びダウンリンク伝送リソースをともに割り当てることができ、割り当て終了後、ともにＵＥに通知するため、リソースの割り当て効率を向上させる。
【００７０】
実際の実施において、ＵＥが、ダウンリンクキャリアアグリゲーションのみをサポートするか、または、ＵＥが単一キャリアップリンク伝送容量を有する場合、ＵＥのためサービスを提供するセル集合には、複数のセルのアップリンク伝送キャリアが含まれることができるが、ＵＥのアップリンク伝送キャリアの容量を超えないようにするため、複数のセルのアップリンク伝送キャリアが、同一タイミングにおいて、１つのセルのアップリンク伝送キャリアを、前記ＵＥのアップリンク伝送のプライマリー・コンポーネント・キャリアとすることしかできない。勿論、アップリンクキャリアアグリゲーションをサポートするＵＥについて、ＵＥのアップリンク伝送キャリアの容量を確保するとともに、複数のセルのアップリンク伝送キャリアのアグリゲーションを、ＵＥのアップリンク伝送のプライマリー・コンポーネント・キャリアとすることができる。
【００７１】
ＵＥのアップリンク伝送のプライマリー・コンポーネント・キャリアが、ＵＥのためにせってした、前記ＵＥのためサービスを提供するセル集合においてハンドオーバーする場面について、以下具体的な実施例により説明する。例えば、ＵＥはダウンリンク伝送キャリアアグリゲーションのみをサポートし、ＵＥのために設定した、前記ＵＥのためサービスを提供するセル集合には、１つのマクロセル及び１つのスモールセルが含まれ、前記マクロセルをプライマリーセルとし、スモールセルをセカンダリセルとする。スモールセルに対してマクロセルのカバレッジ範囲が大きいため、アップリンク伝送のプライマリー・コンポーネント・キャリアは、マクロセルのアップリンク伝送キャリアを選択すると黙認する。ユーザーが頻繁に移動する場合、マクロセルのアップリンク伝送キャリアをアップリンク伝送のプライマリー・コンポーネント・キャリアとすることにより、スモールセルのアップリンク伝送キャリアが、伝送の際に、ユーザーの頻繁な移動による頻繁なハンドオーバーの原因で、サービス伝送中断及びコアネットワークシグナリング負荷増大の問題点を、防ぐことができる。ユーザーがスモールセルでの滞在時間が長い場合、ＵＥのアップリンク伝送キャリアの伝送電力及び他のＵＥへの干渉を低下させるため、スモールセルのアップリンク伝送キャリアにハンドオーバーして伝送することができる。即ち、スモールセルのアップリンク伝送キャリアを、ＵＥのアップリンク伝送のプライマリー・コンポーネント・キャリアとする。
【００７２】
具体的な実施例において、ＵＥのためサービスを提供するセル集合における複数のセル、例えば、１つのプライマリーセル及び１つのセカンダリセルについて、プライマリーセルのアップリンク伝送キャリア及びダウンリンク伝送キャリアを選択してＵＥと基地局間のデータ伝送を行うことを黙認する。ＵＥの移動に従い、基地局の位置決めまたは、ＵＥの測定により、セカンダリセルのアップリンク伝送キャリア伝送クオリティがプライマリーセルのアップリンク伝送キャリア伝送クオリティよりよいが、プライマリーセルのダウンリンク伝送キャリア伝送クオリティがセカンダリセルのダウンリンク伝送キャリア伝送クオリティよりよければ、アップリンク伝送のプライマリー・コンポーネント・キャリアを、セカンダリセルにハンドオーバーする一方、ダウンリンク伝送キャリアは引き続きプライマリーセルのダウンリンク伝送キャリアを採用する。こうして、従来技術のアップリンク伝送キャリア及びダウンリンク伝送キャリアともに、他のセルにハンドオーバーすることと比べれば、異なるセルのアップリンク伝送キャリア及びダウンリンク伝送キャリアを用い、異なるセルの伝送メリットに気を配ることができ、データの伝送効率が向上される。
【００７３】
１つの可能の実施態様において、本発明に係る実施例により提供されるハンドオーバー制御方法において、各々セルのアップリンク伝送キャリアの割り当てリソースは、ＣＢＲＡリソース、Ｄ−ＳＲリソース及びＰＵＣＣＨリソースを含む。
【００７４】
実際の実施において、アップリンク伝送キャリアの割り当てリソースが、ＵＥのためサービスを提供するセル集合における複数のセルにおいても割り当てられているが、あるアップリンク伝送のプライマリー・コンポーネント・キャリアリソースが、アップリンク伝送のプライマリー・コンポーネント・キャリアに対応するセルにおいてのみ利用できる。例えば、基地局がＵＥのために複数のセルにおいて割り当てられたＰＵＣＣＨリソース，アップリンク伝送のプライマリー・コンポーネント・キャリアに対応するセルのアップリンク伝送リソース中のＰＵＣＣＨリソースのみが利用できる。及び/または、基地局がＵＥのために複数のセルにおいて割り当てられたＣＢＲＡの関連リソースは、アップリンク伝送のプライマリー・コンポーネント・キャリアに対応するセルにおけるアップリンク伝送リソース中のＣＢＲＡリソースのみが利用できる。及び/または、アップリンク単一キャリア伝送のＵＥにとって、いずれのセルのアップリンク伝送キャリアを選択してアップリンク伝送のプライマリー・コンポーネント・キャリアとする場合、ＵＥは、他のセルにおけるアップリンク伝送キャリア（ＰＵＳＣＨ及び/またはＳＲＳが含まれる）を自動的に停止する。ＵＥがいずれのセルのアップリンク伝送キャリアを選択してアップリンク伝送のプライマリー・コンポーネント・キャリアとする場合、前記セルに対応する、システム情報ブロック２（ＳＩＢ２）よりリンクされる（ｌｉｎｋｅｄ）ダウンリンク伝送キャリアが必ず活性化状態とならなければならないことに、注意されたい。
【００７５】
具体的な実施例として、ＵＥは、ダウンリンク伝送キャリアアグリゲーションまたはアップリンク単一キャリア伝送のみをサポートし、ＵＥのために設定した、前記ＵＥのためサービスを提供するセル集合には、１つのマクロセル及び１つのスモールセルが含まれ、前記マクロセルをプライマリーセルとし、スモールセルをセカンダリセルとし、マクロセル及びスモールセルには、アップリンク伝送のプライマリー・コンポーネント・キャリアリソース（ＣＢＲＡ、Ｄ−ＳＲ、ＰＵＣＣＨリソースが含まれる）が割り当てられる。ＵＥのアップリンク伝送キャリア及びダウンリンク伝送キャリアは、マクロセルにおいて伝送するものであると黙認される。基地局から、スモールセルのアップリンク伝送キャリアにハンドオーバーして伝送する通知を受信する場合、スモールセルに割り当てられたＣＢＲＡ、Ｄ−ＳＲ、ＰＵＣＣＨリソースは利用できるが、マクロセルに割り当てられたＣＢＲＡ、Ｄ−ＳＲ、ＰＵＣＣＨリソースは、利用できない。同時に、マクロセルのアップリンク伝送キャリア（ＰＵＳＣＨ及び/またはＳＲＳが含まれる）の伝送を停止するとともに、スモールセルのダウンリンク伝送キャリアを活性化する。
【００７６】
１つの可能の実施態様において、本発明に係る実施例により提供されるハンドオーバー制御方法において、前記方法において、アップリンク伝送のプライマリー・コンポーネント・キャリアをハンドオーバーするようにＵＥに通知する。
【００７７】
実際の実施において、基地局がＵＥにアップリンク伝送のプライマリー・コンポーネント・キャリアをハンドオーバーするように通知することにより、ＵＥのためサービスを提供するセルが２個を超える場合、複数のセルから直ちに選択しようとするセルを特定でき、セルのハンドオーバーの正確性を向上することができる。例えば、ＵＥのためサービスを提供するセル集合は、１つのプライマリーセル及び７つのセカンダリセルを含み、基地局により通知されることにより、８つのセル中のアップリンク伝送のプライマリー・コンポーネント・キャリアに対応するセルを直接に指定できる。具体的に、本発明に係る実施例により提供されるハンドオーバー制御方法において、アップリンク伝送のプライマリー・コンポーネント・キャリアをハンドオーバーするようにＵＥに通知する手段として、基地局がＵＥに通知するのに、そのうち１つを利用してもよく、複数の手段を組み合わせて利用することもできる。
【００７８】
手段１：階層３、階層２または階層１の命令により、特定のセルのアップリンク伝送キャリアを選択してアップリンク伝送のプライマリー・コンポーネント・キャリアとするようにＵＥに通知する。
【００７９】
具体的な実施例として、例えば、ＵＥは、ダウンリンクキャリアアグリゲーションのみをサポートし、アップリンクについて単一キャリア伝送のみをサポートし、また、ＵＥは、アップリンク伝送のプライマリー・コンポーネント・キャリアのハンドオーバーのための容量を有する。即ち、也即ＵＥのためサービスを提供するセル集合には、２つのセルが含まれることができるが、同一のタイミングアップリンクにおいて、そのうちの１つのセルに設定されたアップリンク伝送キャリアにより伝送されることしかできない。
【００８０】
階層３、階層２または階層１の命令により、特定のセルのアップリンク伝送キャリアを選択してアップリンク伝送のプライマリー・コンポーネント・キャリアとするようにＵＥに通知するするステップは、ステップ１と、ステップ２と、ステップ３と、ステップ４と、ステップ５と、ステップ６と、ステップ７とを備える。
【００８１】
ステップ１において、ＵＥのためサービスを提供するセル集合には、１つのＰＣｅｌｌと、１つのＳＣｅｌｌとが含まれ、ＰＣｅｌｌ及びＳＣｅｌｌともに、前記ＵＥのためにアップリンク伝送リソース及びダウンリンク伝送リソースを提要することができる。例えば、基地局は、ＵＥのためにＰＣｅｌｌ及びＳＣｅｌｌにおいて、Ｄ−ＳＲ、ＰＵＣＣＨ及びＳＲＳなどのアップリンク伝送リソースを割り当てる。
【００８２】
ステップ２において、ＵＥが、基地局から、ＰＣｅｌｌ及びＳＣｅｌｌのアップリンク伝送リソース及びダウンリンク伝送リソースの割り当て通知を受信した後、ＰＣｅｌｌのアップリンク伝送キャリアを選択してアップリンク伝送のプライマリー・コンポーネント・キャリアとすることを黙認する。
【００８３】
ステップ３において、基地局は、位置決めまたはＵＥ測定により、セルの伝送信号クオリティを獲得し、ＵＥのＳＣｅｌｌにおける伝送信号クオリティがよいと確認した場合、基地局は、階層３、階層２或階層１（L３/L２/L１）命令を送信することにより、ＳＣｅｌｌダウンリンク伝送キャリアを活性化するようにＵＥに通知し、ＵＥは、ＳＣｅｌｌのダウンリンク伝送キャリアにより伝送するようにし始める。
【００８４】
ステップ４において、基地局は、ＵＥのＳＣｅｌｌにおける滞在時間が長いと確認する場合、ＵＥアップリンク伝送キャリアをＳＣｅｌｌにハンドオーバーするように決定すると、基地局は、L３/L２/L１命令をＵＥに送信することにより、アップリンク伝送のプライマリー・コンポーネント・キャリアをＳＣｅｌｌにハンドオーバーするようにＵＥに通知する。
【００８５】
ステップ５において、ＵＥがｎタイミングにおいてアップリンク伝送のプライマリー・コンポーネント・キャリアをＳＣｅｌｌにハンドオーバーする命令を受信した後、ｎ＋ｋタイミングにおいて、アップリンク伝送のプライマリー・コンポーネント・キャリアのハンドオーバーを終了する。即ち、ｎ＋ｋタイミングから、ＳＣｅｌｌのアップリンク伝送キャリアにより伝送し始めＰＣｅｌｌのアップリンク伝送キャリアによる伝送を停止する。基地局は、ｎ＋ｋタイミングにおいて、ＳＣｅｌｌにおいて、ＵＥに対しアップリンクスケジューリンを行う。
【００８６】
ステップ６において、ＵＥがＰＣｅｌｌのアップリンク伝送キャリアによる伝送を停止する場合、ＰＣｅｌｌにおけるＨＡＲＱバッファーデータ及びＰＣｅｌｌに対応するアップリンク伝送のプライマリー・コンポーネント・キャリア許可情報をともに除去することができる。
【００８７】
ステップ７において、ＵＥがＳＣｅｌｌのアップリンク伝送キャリアにより伝送し始まる場合、ＰＣｅｌｌ及びＳＣｅｌｌダウンリンク伝送キャリアに対応するアップリンクフィードバックは、ともにＳＣｅｌｌのアップリンク伝送キャリアを介して伝送され、ＵＥがアップリンクトラフィックを伝送しようとする場合、ＳＣｅｌｌのＤ−ＳＲによりリクエストする。
【００８８】
他の具体的な実施例として、例えば、ＵＥは、ダウンリンクキャリアアグリゲーションのみをサポートし、アップリンクについて単一キャリア伝送のみをサポートし、また、ＵＥは、アップリンク伝送のプライマリー・コンポーネント・キャリアのハンドオーバーのための容量を有する。即ち、ＵＥのためサービスを提供するセル集合には、２つのセルが含まれることができるが、同一のタイミングアップリンクにおいて、そのうちの１つのセルに設定されたアップリンク伝送キャリアにより伝送されることしかできない。
【００８９】
階層３、階層２または階層１の命令により、特定のセルのアップリンク伝送キャリアを選択してアップリンク伝送のプライマリー・コンポーネント・キャリアとするようにＵＥに通知する具体的なステップは、ステップ１と、ステップ２と、ステップ３とを備える。
【００９０】
ステップ１において、基地局は、ＳＣｅｌｌのアップリンク伝送キャリアを選択してＵＥのアップリンク伝送のプライマリー・コンポーネント・キャリアとする。
【００９１】
ステップ２において、基地局は、L３/L２/L１命令をＵＥに送信して、アップリンク伝送のプライマリー・コンポーネント・キャリアを、ＰＣｅｌｌにハンドオーバーするように通知する。
【００９２】
ステップ３において、ＵＥが、ＳＣｅｌｌのアップリンク伝送キャリアによる伝送を停止し、ＰＣｅｌｌのアップリンク伝送キャリアにハンドオーバーして伝送し、同時に、ＰＣｅｌｌにおいてＳＣｅｌｌ及びＰＣｅｌｌダウンリンク伝送キャリアのフィードバック、及びＣＳＩ/ＳＲＳ伝送を行い、ＵＥがアップリンクトラフィック伝送をしようとする場合、ＰＣｅｌｌにおいてＤ−ＳＲを開始する。
【００９３】
手段２、階層３、階層２または階層１の命令により、ＵＥのアップリンク伝送のプライマリー・コンポーネント・キャリアのサブフレームの構成情報を通知する。ここで、アップリンク伝送のプライマリー・コンポーネント・キャリアに対応するセルとサブフレームの対応関係が含まれる。
【００９４】
具体的な実施例として、例えば、ＵＥは、ダウンリンクキャリアアグリゲーションのみをサポートし、アップリンクについて単一キャリア伝送のみをサポートし、また、ＵＥは、アップリンク伝送のプライマリー・コンポーネント・キャリアのハンドオーバーのための容量を有する。即ち、ＵＥのためサービスを提供するセル集合には、２つのセルが含まれることができるが、同一のタイミングアップリンクにおいて、そのうちの１つのセルに設定されたアップリンク伝送キャリアにより伝送されることしかできない。
【００９５】
階層３、階層２または階層１の命令により、ＵＥのアップリンク伝送のプライマリー・コンポーネント・キャリアのサブフレームの構成情報を通知する具体的なステップは、ステップ１と、ステップ１と、ステップ１とを備える。
【００９６】
ステップ１において、基地局は、ＵＥのアップリンク伝送のプライマリー・コンポーネント・キャリアのために１つのサブフレームの構成情報を設定し、前記サブフレームの構成情報には、アップリンク伝送のプライマリー・コンポーネント・キャリアに対応するセルとサブフレームの対応関係とが含まれる。例えば、２０個のサブフレームを周期とし、そのうちの、前頭２個のサブフレームにおいて、ＰＣｅｌｌのアップリンク伝送キャリアをＵＥのアップリンク伝送のプライマリー・コンポーネント・キャリアとし、ｋ個のサブフレームにおいて、アップリンク伝送のプライマリー・コンポーネント・キャリアに対応するセルをハンドオーバーし、残りの１８-ｋ個のサブフレームにおいて、ＳＣｅｌｌのアップリンク伝送キャリアをＵＥのアップリンク伝送のプライマリー・コンポーネント・キャリアとする。
【００９７】
ステップ２において、ＵＥは、基地局により通知されたサブフレームの構成情報を受信した後、サブフレームの構成情報により、Ｃｅｌｌに対応するアップリンク伝送キャリアをアップリンク伝送のプライマリー・コンポーネント・キャリアとするように指示する。
【００９８】
ステップ３において、ＳＣｅｌｌ及びＰＣｅｌｌダウンリンク伝送キャリアのフィードバック、及びＣＳＩ/ＳＲＳの伝送について、ＵＥは、目下に選択したアップリンク伝送のプライマリー・コンポーネント・キャリアに対応するセルに送信することができる。
【００９９】
手段３、目下ＵＥのアップリンク伝送のプライマリー・コンポーネント・キャリアであるセカンダリセルのアップリンク伝送キャリアの割り当てリソースを非活性化することにより、プライマリーセルのアップリンク伝送キャリアをアップリンク伝送のプライマリー・コンポーネント・キャリアとすることを、前記ＵＥに指示する。
【０１００】
具体的な実施例として、例えば、ＵＥは、ダウンリンクキャリアアグリゲーションのみをサポートし、アップリンクについて単一キャリア伝送のみをサポートし、また、ＵＥは、アップリンク伝送のプライマリー・コンポーネント・キャリアのハンドオーバーのための容量を有する。即ち、ＵＥのためサービスを提供するセル集合には、２つのセルが含まれることができるが、同一のタイミングアップリンクにおいて、そのうちの１つのセルに設定されたアップリンク伝送キャリアにより伝送されることしかできない。
【０１０１】
目下ＵＥのアップリンク伝送のプライマリー・コンポーネント・キャリアであるセカンダリセルのアップリンク伝送キャリアの割り当てリソースを非活性化することにより、プライマリーセルのアップリンク伝送キャリアをアップリンク伝送のプライマリー・コンポーネント・キャリアとすることを、前記ＵＥに指示する具体的なステップは、ステップ１と、ステップ２と、ステップ3とを備える。
【０１０２】
ステップ１において、基地局は、ＳＣｅｌｌのアップリンク伝送キャリアを選択してＵＥのアップリンク伝送のプライマリー・コンポーネント・キャリアとする。
【０１０３】
ステップ２において、基地局は、目下ＵＥのアップリンク伝送のプライマリー・コンポーネント・キャリアであるＳＣｅｌｌのアップリンク伝送キャリアの割り当てリソースを非活性化する命令を送信し、アップリンク伝送のプライマリー・コンポーネント・キャリアを、ＰＣｅｌｌのアップリンク伝送キャリアにハンドオーバーする。
【０１０４】
ステップ３において、ＵＥがＳＣｅｌｌアップリンク伝送のプライマリー・コンポーネント・キャリアの割り当てリソースを非活性化する命令を受信した後、kタイミングを遅延し、ＵＥが、ＳＣｅｌｌのアップリンク伝送キャリアによる伝送を停止し、ＰＣｅｌｌのアップリンク伝送キャリアにハンドオーバーして伝送し、同時に、ＰＣｅｌｌにおいてＳＣｅｌｌ及びＰＣｅｌｌダウンリンク伝送キャリアのフィードバック、及びＣＳＩ/ＳＲＳ伝送を行い、ＵＥがアップリンクトラフィック伝送をしようとする場合、ＰＣｅｌｌにおいてＤ−ＳＲを開始する。
【０１０５】
１つの可能の実施態様において、本発明に係る実施例により提供されるハンドオーバー制御方法において、階層３の命令により、特定のセルのアップリンク伝送キャリアを選択してアップリンク伝送のプライマリー・コンポーネント・キャリアとするようにＵＥに通知する場合、階層３の命令には、前記特定のセルのアップリンク伝送キャリアの割り当てリソースがさらに含まれる。
【０１０６】
実際の実施において、基地局が階層３の命令（L３ cｏｍｍaｎd）により特定のセルのアップリンク伝送キャリアを選択してアップリンク伝送のプライマリー・コンポーネント・キャリアとするようにＵＥに通知する場合、前記特定のセルのアップリンク伝送キャリアに対応する割り当てリソースもともに通知できる。好ましくは、前記割り当てリソースは、Ｄ−ＳＲ、ＳＲＳ、ＣＳＩ、ＰＵＣＣＨ及び/またはＳＣｅｌｌ ＲＡなどを含むため、いずれのセルのアップリンク伝送キャリアを選択してアップリンク伝送のプライマリー・コンポーネント・キャリアとしてする場合、前記セルにおける割り当てリソースは、維持されてもよく、自ら解放されてもよい。
【０１０７】
１つの可能の実施態様において、本発明に係る実施例により提供されるハンドオーバー制御方法において、ＵＥのためアップリンク伝送キャリアの割り当てリソースのセルの数は、大なりイコールＵＥの実際のアップリンク伝送に採用されるアップリンク伝送キャリアに対応するセルの数の最大値である。
【０１０８】
実際の実施において、ＵＥのアップリンク伝送のプライマリー・コンポーネント・キャリアが複数の異なるセルの間のハンドオーバーの便宜を図るため、ＵＥのためアップリンク伝送キャリアの割り当てリソースのセルの数は、大なりイコールＵＥの実際のアップリンク伝送に採用されるアップリンク伝送キャリアに対応するセルの数の最大値である。例えば、ＵＥのためアップリンク伝送キャリアの割り当てリソースのセルの数は３であり、１つのプライマリーセル及び2つのセカンダリセルを含み、ＵＥがアップリンクについて単一キャリア伝送のみをサポートし、即ち、ＵＥの実際のアップリンク伝送に採用されるアップリンク伝送キャリアに対応するセルの数の最大値が１であれば、同一のタイミングにおいて、３つのセル中の１つのセルのアップリンク伝送キャリアのみを、前記ＵＥのアップリンク伝送のプライマリー・コンポーネント・キャリアとする。
【０１０９】
１つの可能の実施態様において、本発明に係る実施例により提供されるハンドオーバー制御方法において、ＵＥのために設定した、前記ＵＥにサービスを提供するセル集合の伝送リソースを決定する前、前記方法は、ＵＥから報告されたアップリンク伝送のプライマリー・コンポーネント・キャリアのハンドオーバー容量をサポートする前記ＵＥの容量情報を受信するステップをさらに備える。ＵＥのために設定した、前記ＵＥにサービスを提供するセル集合の伝送リソースを決定するステップは、ＵＥから報告された容量情報に基づき、ＵＥのために設定した、前記ＵＥにサービスを提供するセル集合の伝送リソースを決定する。
【０１１０】
勿論、好ましい実施仕様として、本発明に係る実施例において、ただ、ＵＥが基地局に、自分がアップリンク伝送のプライマリー・コンポーネント・キャリアのハンドオーバー容量をサポートすることを報告する場合のみ、基地局は、ＵＥの容量及び自分のポリシーに基づいてＵＥのアップリンク伝送のプライマリー・コンポーネント・キャリアのハンドオーバーの関連機能及び設定を開始することができる。ＵＥが、基地局に、自分がアップリンク伝送のプライマリー・コンポーネント・キャリアのハンドオーバー容量をサポートすることを報告しなくても、基地局は、前記ＵＥのため、アップリンク伝送のプライマリー・コンポーネント・キャリアのハンドオーバーの関連機能及び設定を開始することもできる。
【０１１１】
ＵＥ側において、本発明に係る実施例により提供されるアップリンク伝送のプライマリー・コンポーネント・キャリアのハンドオーバー方法は、図３に示すように、ステップ３０２と、ステップ３０４とを備える。
【０１１２】
ステップ３０２において、ＵＥは、ネットワーク側から通知された、前記ＵＥのためサービスを提供するセル集合の伝送リソースを獲得する。ここで、複数のセルのアップリンク伝送キャリアの割り当てリソースが含まれる。
【０１１３】
ステップ３０４において、前記ＵＥがアップリンク伝送のプライマリー・コンポーネント・キャリアのハンドオーバーを行う必要があると決定する場合、前記ＵＥは、新しいセルのアップリンク伝送キャリアの割り当てリソースにより、アップリンク伝送のプライマリー・コンポーネント・キャリアを、前記新しい対応のセルのアップリンク伝送キャリアにハンドオーバーする。
【０１１４】
本発明に係る実施例により提供されるアップリンク伝送のプライマリー・コンポーネント・キャリアのハンドオーバー方法において、前記ＵＥにサービスを提供するＵＥのため設定するセル集合の伝送リソースを決定することにより、ＵＥのアップリンク伝送のプライマリー・コンポーネント・キャリアが、前記ＵＥにサービスを提供するＵＥのために設定したセル集合内の複数の異なるセルの間のハンドオーバーを行えるようになり、ＵＥのアップリンク伝送のプライマリー・コンポーネント・キャリアが、柔軟に伝送できるようになり、伝送電力及びＵＥサービスの伝送要求両方に気を配ることができる。また、従来技術のマクロセルをプライマリーセルに設定して、マクロセルのアップリンク伝送キャリアを介して伝送することと比較すれば、伝送電力が大きくて、他のユーザーへの干渉が大きい問題を防ぐことができる。さらに、従来技術のスモールセルをプライマリーセルとして設定して、スモールセルのアップリンク伝送キャリアを介して伝送することと比較すれば、ＵＥの移動によるセルの頻繁なハンドオーバーにより起こされるサービスの中断及びコアネットワークシグナリング負荷の増大の問題点を防ぐことができる。そして、従来技術のセルハンドオーバーの場合の、ＵＥのアップリンク伝送キャリア及びダウンリンク伝送キャリア両方のセル間のハンドオーバーと比較すれば、ＵＥのアップリンク伝送キャリアのみのセル間のハンドオーバーを実現して、異なるセルの伝送メリットに気を配ることができる。
【０１１５】
１つの可能の実施態様において、本発明に係る実施例により提供されるハンドオーバー方法において、ＵＥは、ネットワーク側から送信されたアップリンク伝送のプライマリー・コンポーネント・キャリアをハンドオーバーする通知に基づき、アップリンク伝送する必要があるプライマリー・コンポーネント・キャリアのハンドオーバーを決定する。
【０１１６】
本発明に係る実施例により提供されるハンドオーバー方法において、基地局がＵＥにアップリンク伝送のプライマリー・コンポーネント・キャリアをハンドオーバーするように通知することにより、ＵＥのためサービスを提供するセルが２個を超える場合、複数のセルから直ちに選択しようとするセルを特定でき、セルのハンドオーバーの正確性を向上することができる。
【０１１７】
１つの可能の実施態様において、本発明に係る実施例により提供されるハンドオーバー方法において、ＵＥは、下記いずれの態様により、ネットワーク側から送信されたアップリンク伝送のプライマリー・コンポーネント・キャリアをハンドオーバーする通知を受信する。階層３、階層２または階層１の命令により、ネットワーク側から送信された、特定のセルのアップリンク伝送キャリアを選択してアップリンク伝送のプライマリー・コンポーネント・キャリアとする通知を受信する。または、階層３、階層２または階層１の命令により、ネットワーク側から送信された、アップリンク伝送のプライマリー・コンポーネント・キャリアのサブフレームの構成情報の通知を受信し、ここで、アップリンク伝送のプライマリー・コンポーネント・キャリアに対応するセルとサブフレームの対応関係が含まれる。または、ネットワーク側から送信された、目下ＭＵＥのアップリンク伝送のプライマリー・コンポーネント・キャリアであるセカンダリセルのアップリンク伝送キャリアの割り当てリソースを非活性化命令を、前記ＵＥがプライマリーセルのアップリンク伝送キャリアをアップリンク伝送のプライマリー・コンポーネント・キャリアとする通知とする。
【０１１８】
１つの可能の実施態様において、本発明に係る実施例により提供されるハンドオーバー方法において、ＵＥが階層３の命令により、ネットワーク側から送信された、特定のセルのアップリンク伝送キャリアを選択してアップリンク伝送のプライマリー・コンポーネント・キャリアとする通知を受信する場合、前記方法は、ＵＥは、階層３の命令から、前記特定のセルのアップリンク伝送キャリアの割り当てリソースを獲得する。ＵＥは、階層３の命令から、前記特定のセルのアップリンク伝送キャリアの割り当てリソースを獲得ＵＥは、新しいセルのアップリンク伝送キャリアの割り当てリソースにより、アップリンク伝送のプライマリー・コンポーネント・キャリアを、前記新しい対応のセルのアップリンク伝送キャリアにハンドオーバーする。詳しくは、ＵＥは、階層３の命令から、前記特定のセルのアップリンク伝送キャリアの割り当てリソースを獲得ＵＥは、階層３の命令から獲得した前記特定のセルのアップリンク伝送キャリアの割り当てリソースにより、アップリンク伝送のプライマリー・コンポーネント・キャリアを、前記特定の対応のセルのアップリンク伝送キャリアにハンドオーバーする。
【０１１９】
１つの可能の実施態様において、本発明に係る実施例により提供されるハンドオーバー方法において、階層３の命令から、前記特定のセルのアップリンク伝送キャリアの割り当てリソースを獲得ＵＥは、下記いずれの態様により、アップリンク伝送する必要があるプライマリー・コンポーネント・キャリアのハンドオーバーを決定する。ＵＥは、自ら開始したランダムアクセスにより、プリアンブルシーケンスが位置する伝送キャリアをアップリンク伝送のプライマリー・コンポーネント・キャリアとすることを決定する。ＵＥは、自ら開始したＤ−ＳＲにより、Ｄ−ＳＲが位置するキャリアをアップリンク伝送のプライマリー・コンポーネント・キャリアとすることを決定する。ＵＥが、ネットワーク側から送信された、複数のセルのうちの１つのセルに対するアップリンクスケジューリン命令を受信する場合、前記ＵＥは、前記セルのアップリンク伝送キャリアをアップリンク伝送のプライマリー・コンポーネント・キャリアとすることを決定する。
【０１２０】
本発明に係る実施例により提供されるハンドオーバー方法において、ＵＥは、基地局から送信された命令により、アップリンク伝送のプライマリー・コンポーネント・キャリアに対応するセルをハンドオーバーするだけではなく、複数のセルのアップリンク伝送リソースが複数のセルにおいて、対応のセルのアップリンク伝送キャリアをアップリンク伝送のプライマリー・コンポーネント・キャリアとすることを決定することにより、ＵＥは、複数のセルのアップリンク伝送リソースにより選択することができ、これは、ＵＥのアップリンク伝送サービスへの適応性が優れる一方、サービスの要求に応じて異なるセルを選択することができ、柔軟性がさらに高くなる。
【０１２１】
勿論、具体的な実施例において、ＵＥのアップリンク伝送のプライマリー・コンポーネント・キャリアが、ＵＥのためサービスを提供する複数のセルの間でハンドオーバーをすることは、基地局からの通知によりハンドオーバーするか、ＵＥは、複数のセルのアップリンク伝送リソースにより選択してハンドオーバーすることもでき、また、組み合わせてもよい。
【０１２２】
以下具体的な実施例により説明する。ＵＥが、ネットワーク側から送信された、複数のセルのうちの１つのセルに対するアップリンクスケジューリン命令を受信する場合、前記ＵＥは、前記セルのアップリンク伝送キャリアを、アップリンク伝送のプライマリー・コンポーネント・キャリアとする。
【０１２３】
具体的な実施例として、アップリンクが単一キャリア伝送のみをサポートするＵＥのためサービスを提供するセル集合には、ＰＣｅｌｌ及びＳＣｅｌｌとの２つのセルを含み、Ｐｃｅｌｌ及びＳｃｅｌｌには、ともに、アップリンク伝送リソース及びダウンリンク伝送リソースが割り当てられ、また、ＵＥは、アップリンク伝送のプライマリー・コンポーネント・キャリアのハンドオーバーのための容量を有し、且つＳＣｅｌｌダウンリンク伝送キャリアのみを活性化する。ＵＥがＳＣｅｌｌのアップリンク伝送キャリアにより伝送するように基地局よりスケジューリンされる場合、対応のＰＵＳＣＨ伝送タイミングにおいて、ＵＥは、前記ＳＣｅｌｌアップリンク伝送キャリアを活性化し、ＰＣｅｌｌアップリンク伝送キャリアを非活性化する。同様に、基地局は類似の方法でＰＣｅｌｌアップリンクを活性化することができる。
【０１２４】
１つの可能の実施態様において、本発明に係る実施例により提供されるハンドオーバー方法において、ＵＥが、自ら開始したランダムアクセスにより、プリアンブルシーケンスが位置する伝送キャリアをアップリンク伝送のプライマリー・コンポーネント・キャリアとすることを決定することは、具体的に下記の幾つかの実施例により説明する。
【０１２５】
実施例一、前記ＵＥが、目下、セカンダリセルのアップリンク伝送キャリアを選択してアップリンク伝送のプライマリー・コンポーネント・キャリアとし、且つ前記セカンダリセルにはＣＢＲＡ及びＤ−ＳＲリソースが設定されていなければ、前記ＵＥがアップリンクスケジューリンリクエストを開始する場合、前記ＵＥは、プライマリーセルにハンドオーバーしてＣＢＲＡを開始し、プライマリーセルのアップリンク伝送キャリアをアップリンク伝送のプライマリー・コンポーネント・キャリアとする。
【０１２６】
具体的に、アップリンクが単一キャリア伝送のみをサポートするＵＥのためサービスを提供するセル集合には、ＰＣｅｌｌ及びＳＣｅｌｌとの２つのセルを含み、Ｐｃｅｌｌ及びＳｃｅｌｌには、ともに、アップリンク伝送リソース及びダウンリンク伝送リソースが割り当てられ、また、ＵＥは、アップリンク伝送のプライマリー・コンポーネント・キャリアのハンドオーバーのための容量を有するが、基地局がＳＣｅｌｌにＤ−ＳＲ、ＣＢＲＡリソースを充てられていないか、または、ＳＣｅｌｌにおいてＤ−ＳＲまたはＣＢＲＡの伝送が許可されない。ＳＣｅｌｌのアップリンク伝送キャリアを選択してアップリンク伝送のプライマリー・コンポーネント・キャリアとする場合、ＵＥがアップリンクスケジューリンリクエストを送信しようとする際、ＵＥは、ＰＣｅｌｌのアップリンク伝送キャリアを自動的に選択して、アップリンク伝送のプライマリー・コンポーネント・キャリアとして、Ｄ−ＳＲまたはＣＢＲＡ伝送を行う。
【０１２７】
実施例二、前記ＵＥが、目下、セカンダリセルのアップリンク伝送キャリアを選択してアップリンク伝送のプライマリー・コンポーネント・キャリアとし、且つ前記セカンダリセルにはＤ−ＳＲリソースのみが設定されれば、前記セカンダリセルにおいて前記ＵＥのＤ−ＳＲ伝送が失敗される場合、前記ＵＥは、プライマリーセルにハンドオーバーしてＣＢＲＡを開始し、プライマリーセルのアップリンク伝送キャリアをアップリンク伝送のプライマリー・コンポーネント・キャリアとする。
【０１２８】
具体的に、アップリンクが単一キャリア伝送のみをサポートするＵＥのためサービスを提供するセル集合には、ＰＣｅｌｌ及びＳＣｅｌｌとの２つのセルを含み、Ｐｃｅｌｌ及びＳｃｅｌｌには、ともに、アップリンク伝送リソース及びダウンリンク伝送リソースが割り当てられ、また、ＵＥは、アップリンク伝送のプライマリー・コンポーネント・キャリアのハンドオーバーのための容量を有するＳＣｅｌｌのアップリンク伝送キャリアを選択してアップリンク伝送のプライマリー・コンポーネント・キャリアとする場合、ＵＥは、ＳＣｅｌｌにおいて無線リンクの失敗が起こされる。ＵＥがＳＣｅｌｌにおける無線リンクの失敗を検出する場合、ＵＥは、ＰＣｅｌｌのアップリンク伝送キャリアを自動的に選択して、アップリンク伝送のプライマリー・コンポーネント・キャリアとして、Ｄ−ＳＲまたはＣＢＲＡ伝送を行う。基地局がＵＥのため設定した、Ｐｃｅｌｌアップリンク許可情報（ＵＬ ｇｒａｎｔ）により、ＵＥは、無線リンクの失敗インジケイターを送信する。基地局は、ＵＥがＳｃｅｌｌアップリンク伝送リソースを解放するように設定するか、または、ＵＥのためにＳｃｅｌｌのアップリンク伝送リソースを再度割り当てる。
【０１２９】
実施例三、前記ＵＥは、目下、セカンダリセルのアップリンク伝送キャリアを選択してアップリンク伝送のプライマリー・コンポーネント・キャリアとし、且つ前記セカンダリセルの伝送クオリティが要求を満たさない場合、前記ＵＥは、プライマリーセルのアップリンク伝送キャリアをアップリンク伝送のプライマリー・コンポーネント・キャリアとし、ルーティング領域（Ｒｏｕｔｉｎｇ Ａｒｅａ，ＲＡ）アップデートを開始する。
【０１３０】
具体的に、ＵＥが選択したセルのアップリンク伝送キャリアをアップリンク伝送のプライマリー・コンポーネント・キャリアとする場合、アップリンク伝送キャリアのクオリティが劣化されまたは伝送クオリティ要求を満たさなければ、例えば、伝送クオリティの劣化、無線リソース管理（Ｒａｄｉｏ Ｒｅｓｏｕｒｃｅ Ｍａｎａｇｅｍｅｎｔ，ｅ.ｇ.ＲＲＭ）測定が所定の閾値より低いか、または、無線リンク管理（Ｒａｄｉｏ Ｌｉｎｋ Ｍａｎａｇｅｍｅｎｔ，ＲＬＭ）中に（Ｔ３１０）タイムアウトとなれば、ＵＥのアップリンク伝送キャリアの伝送クオリティを確保するため、ＵＥは、アップリンク伝送のプライマリー・コンポーネント・キャリアを、他のセルのアップリンク伝送キャリアにハンドオーバーする。
【０１３１】
１つの可能の実施態様において、本発明に係る実施例により提供されるハンドオーバー方法において、ＵＥが、自ら開始したＤ−ＳＲにより、Ｄ−ＳＲが位置するキャリアをアップリンク伝送のプライマリー・コンポーネント・キャリアとすることを決定する場合、前記方法は、ＵＥが、目下、セカンダリセルのアップリンク伝送キャリアを選択して、アップリンク伝送のプライマリー・コンポーネント・キャリアとし、前記セカンダリセルにＣＢＲＡリソース及びＤ−ＳＲリソースが割り当てられていなければ、前記ＵＥがアップリンクスケジューリンリクエストを開始する場合、前記ＵＥは、プライマリーセルにハンドオーバーしてＤ−ＳＲを開始し、プライマリーセルのアップリンク伝送キャリアをアップリンク伝送のプライマリー・コンポーネント・キャリアとする。
【０１３２】
１つの可能の実施態様において、本発明に係る実施例により提供されるハンドオーバー方法において、選択されていないアップリンク伝送キャリアについて、前記方法は、下記いずれのステップまたはこれらの任意の組み合わせを備える。ＵＥは、前記アップリンク伝送キャリアの全部の割り当てリソースを維持する。ＵＥ前記アップリンク伝送キャリアにおける全部の伝送を停止する。ＵＥは、前記アップリンク伝送キャリアに対応するＨＡＲＱ（Ｈｙｂｒｉｄ Ａｕｔｏｍａｔｉｃ Ｒｅｐｅａｔ Ｒｅｑｕｅｓｔ，ＨＡＲＱ）バッファーを除去し、前記アップリンク伝送キャリアに対応するアップリンク許可情報を除去する。ＵＥは、媒体アクセス制御（ＭＡＣ）アップリンクと関連するコンテキストをリセットする。
【０１３３】
実際の実施において、選択されていないアップリンク伝送キャリアについて、前記アップリンク伝送キャリアの全部の割り当てリソースを維持する。こうして、前記アップリンク伝送キャリアを再度選択してアップリンク伝送のプライマリー・コンポーネント・キャリアとすることに有利になり、これとともに、前記アップリンク伝送キャリアに対応するＨＡＲＱバッファーを除去して、基地局またはサーバ―の記憶空間を解放する。前記アップリンク伝送キャリアに対応するアップリンク許可情報を除去して、他のアップリンク伝送キャリアをアップリンク伝送のプライマリー・コンポーネント・キャリアとすることが許容されるようになり、許可情報の衝突が原因である、ＵＥがアップリンク伝送キャリアの容量を超えることを防ぐことができる。
【０１３４】
１つの可能の実施態様において、本発明に係る実施例により提供されるハンドオーバー方法において、ＵＥが、目下、プライマリー対応のセルのアップリンク伝送キャリアを選択して、アップリンク伝送のプライマリー・コンポーネント・キャリアとすれば、前記ＵＥがネットワーク側からセカンダリセルを活性化する命令を受信した場合、前記ＵＥは、前記セカンダリセルのダウンリンク伝送リソースのみを活性化する。ＵＥが、目下、セカンダリ対応のセルのアップリンク伝送キャリアを選択して、アップリンク伝送のプライマリー・コンポーネント・キャリアとすれば、前記ＵＥがネットワーク側からセカンダリセルを非活性化する命令を受信した場合、前記ＵＥは、前記セカンダリセルのアップリンク伝送リソースのみを非活性化し、プライマリー対応のセルのアップリンク伝送キャリアをアップリンク伝送のプライマリー・コンポーネント・キャリアとする。
【０１３５】
実際の実施において、基地局が、ＵＥに、対応のセルのアップリンク伝送リソースまたはダウンリンク伝送リソースを活性化または非活性化するように通知する場合、対応のセルのアップリンク伝送リソースまたはダウンリンク伝送リソースをともに活性化または非活性化してもよく、対応のセルのアップリンク伝送リソースまたはダウンリンク伝送リソースのうちの１つのみを活性化または非活性化してもよい。
【０１３６】
具体的な実施例として、単一キャリアアップリンク伝送であるＵＥのためサービスを提供するセル集合には、ＰＣｅｌｌ及びＳＣｅｌｌとの２つのセルを含み、また、ＵＥは、アップリンク伝送のプライマリー・コンポーネント・キャリアのハンドオーバーのための容量を有し、ＰＣｅｌｌのアップリンク伝送キャリアを選択して現行アップリンク伝送のプライマリー・コンポーネント・キャリアとする。基地局がＳＣｅｌｌを活性化する命令を送信する。ＵＥが単一キャリアアップリンク伝送であり、且つ、ＰＣｅｌｌのアップリンク伝送キャリアがアップリンク伝送のプライマリー・コンポーネント・キャリアとされるため、ＵＥは、ＳＣｅｌｌダウンリンク伝送リソースのみを活性化する。
【０１３７】
他の具体的な実施例として、単一キャリアアップリンク伝送であるＵＥのためサービスを提供するセル集合には、ＰＣｅｌｌ及びＳＣｅｌｌとの２つのセルを含み、また、ＵＥは、アップリンク伝送のプライマリー・コンポーネント・キャリアのハンドオーバーのための容量を有し、且つ、ＳＣｅｌｌのアップリンク伝送キャリアを選択して、現行アップリンク伝送のプライマリー・コンポーネント・キャリアとする。基地局はＳＣｅｌｌを非活性化する命令を送信する。ＵＥが単一キャリアアップリンク伝送であり、ダウンリンクキャリアアグリゲーションをサポートすることができるため、ＵＥは、Ｓｃｅｌｌアップリンク伝送リソースのみを非活性化するとともに、ＰＣｅｌｌのアップリンク伝送キャリアを、現行のアップリンク伝送のプライマリー・コンポーネント・キャリアとする。
【０１３８】
１つの可能の実施態様において、本発明に係る実施例により提供されるハンドオーバー方法において、ＵＥが、ネットワーク側から通知された、前記ＵＥにサービスを提供するためのセル集合の伝送リソースを獲得する前、前記方法において、ＵＥは、アップリンク伝送のプライマリー・コンポーネント・キャリアのハンドオーバー容量をサポートする前記ＵＥの容量情報を、ネットワーク側に報告する。
【０１３９】
１つの可能の実施態様において、本発明に係る実施例により提供されるハンドオーバー方法において、ＵＥがｎタイミングにおいてアップリンク伝送する必要があるプライマリー・コンポーネント・キャリアのハンドオーバーを決定すれば、ｎ＋ｋタイミングにおいて、新しいアップリンク伝送のプライマリー・コンポーネント・キャリアが発効される。ここで、k>=０である。ＵＥは、ｎタイミングまたはｎ＋ｋタイミングにおいて、最初のアップリンク伝送のプライマリー・コンポーネント・キャリアにおける伝送を停止する。
【０１４０】
実際の実施において、本発明に係る実施例のＵＥのアップリンク伝送のプライマリー・コンポーネント・キャリアのハンドオーバーが遅延される場合、アップリンク伝送のプライマリー・コンポーネント・キャリアのハンドオーバーのタイミングは、ｎタイミングにおいて、ＵＥは、アップリンク伝送のプライマリー・コンポーネント・キャリアのハンドオーバー（例えば、アップリンク伝送のプライマリー・コンポーネント・キャリアをハンドオーバーする通知を基地局から受信）を行い、ｎ＋ｋ（k>=０）タイミングにおいて、新しいアップリンク伝送のプライマリー・コンポーネント・キャリアが発効される。即ち、アップリンク伝送が必要とすれば、ハンドオーバー後のセルのアップリンク伝送キャリアにより伝送し、ＵＥは、ｎタイミングまたはｎ＋ｋタイミングにおいて、最初のアップリンク伝送キャリアによる伝送を停止する。
【０１４１】
本発明に係る実施例により提供されるアップリンク伝送のプライマリー・コンポーネント・キャリアのハンドオーバー制御装置は、図４に示すように、リソース決定ユニット４０２と、送信ユニット４０４とを備える。
【０１４２】
前記リソース決定ユニット４０２は、ＵＥのために設定した、前記ＵＥにサービスを提供するセル集合の伝送リソースを決定する。前記ＵＥのアップリンク伝送のプライマリー・コンポーネント・キャリアの、異なる対応のセルのアップリンク伝送キャリアの間のハンドオーバーを実現するための、複数のセルのアップリンク伝送キャリアの割り当てリソースが含まれる。
【０１４３】
前記送信ユニット４０４は、リソース決定ユニット４０２に接続され、セル集合の伝送リソースを前記ＵＥに通知する。
【０１４４】
本発明に係る実施例により提供されるアップリンク伝送のプライマリー・コンポーネント・キャリアのハンドオーバー制御装置において、前記ＵＥにサービスを提供するＵＥのため設定するセル集合の伝送リソースを決定することにより、ＵＥのアップリンク伝送のプライマリー・コンポーネント・キャリアが、前記ＵＥにサービスを提供するＵＥのために設定したセル集合内の複数の異なるセルの間のハンドオーバーを行えるようになり、ＵＥのアップリンク伝送のプライマリー・コンポーネント・キャリアが、柔軟に伝送できるようになり、伝送電力及びＵＥサービスの伝送要求両方に気を配ることができる。また、従来技術のマクロセルをプライマリーセルに設定して、マクロセルのアップリンク伝送キャリアを介して伝送することと比較すれば、伝送電力が大きくて、他のユーザーへの干渉が大きい問題を防ぐことができる。そして、従来技術のスモールセルをプライマリーセルとして設定して、スモールセルのアップリンク伝送キャリアを介して伝送することと比較すれば、ＵＥの移動によるセルの頻繁なハンドオーバーにより起こされるサービスの中断及びコアネットワークシグナリング負荷の増大の問題点を防ぐことができる。さらに、従来技術のセルハンドオーバーの場合の、ＵＥのアップリンク伝送キャリア及びダウンリンク伝送キャリア両方のセル間のハンドオーバーと比較すれば、ＵＥのアップリンク伝送キャリアのみのセル間のハンドオーバーを実現して、異なるセルの伝送メリットに気を配ることができる。
【０１４５】
実際の実施において、ＵＥが、ダウンリンクキャリアアグリゲーションのみをサポートするか、または、ＵＥが単一キャリアップリンク伝送容量を有する場合ＵＥのためサービスを提供するセル集合には、複数のセルのアップリンク伝送キャリアが含まれることができるが、ＵＥのアップリンク伝送キャリアの容量を超えないようにするため、複数のセルのアップリンク伝送キャリアが、同一のタイミングにおいて、１つのセルのアップリンク伝送キャリアを、前記ＵＥのアップリンク伝送のプライマリー・コンポーネント・キャリアとすることしかできない。勿論、ップリンクキャリアアグリゲーションをサポートするＵＥについて、ＵＥのアップリンク伝送キャリアの容量を確保するとともに、複数のセルのアップリンク伝送キャリアのアグリゲーションを、ＵＥのアップリンク伝送のプライマリー・コンポーネント・キャリアとすることができる。
【０１４６】
１つの可能の実施態様において、本発明に係る実施例により提供されるハンドオーバー制御装置において、各々セルのアップリンク伝送キャリアの割り当てリソースは、ＣＢＲＡリソース、Ｄ−ＳＲリソース、及びＰＵＣＣＨリソースを含む。
【０１４７】
１つの可能の実施態様において、本発明に係る実施例により提供されるハンドオーバー制御装置において、送信ユニット４０４は、アップリンク伝送のプライマリー・コンポーネント・キャリアをハンドオーバーするようにＵＥに通知する。
【０１４８】
実際の実施において、基地局がＵＥにアップリンク伝送のプライマリー・コンポーネント・キャリアをハンドオーバーするように通知することにより、ＵＥのためサービスを提供するセルが２個を超える場合、複数のセルから直ちに選択しようとするセルを特定でき、セルのハンドオーバーの正確性を向上することができる。
【０１４９】
１つの可能の実施態様において、本発明に係る実施例により提供されるハンドオーバー制御装置において、送信ユニット４０４がアップリンク伝送のプライマリー・コンポーネント・キャリアをハンドオーバーするようにＵＥに通知する場合、以下のいくつかの手段を利用し、基地局がＵＥを通知する場合、そのうちの1つを利用してもよく、任意に組み合わせて利用してもよい。
【０１５０】
手段１、階層３、階層２または階層１の命令により、特定のセルのアップリンク伝送キャリアを選択してアップリンク伝送のプライマリー・コンポーネント・キャリアとするようにＵＥに通知する。
【０１５１】
手段２、階層３、階層２または階層１の命令により、ＵＥのアップリンク伝送のプライマリー・コンポーネント・キャリアのサブフレームの構成情報を通知する。ここで、アップリンク伝送のプライマリー・コンポーネント・キャリアに対応するセルとサブフレームの対応関係が含まれる。
【０１５２】
手段３、目下ＵＥのアップリンク伝送のプライマリー・コンポーネント・キャリアであるセカンダリセルのアップリンク伝送キャリアの割り当てリソースを非活性化することにより、プライマリーセルのアップリンク伝送キャリアをアップリンク伝送のプライマリー・コンポーネント・キャリアとすることを、前記ＵＥに指示する。
【０１５３】
１つの可能の実施態様において、本発明に係る実施例により提供されるハンドオーバー制御装置において、送信ユニット４０４が階層３の命令により特定のセルのアップリンク伝送キャリアを選択してアップリンク伝送のプライマリー・コンポーネント・キャリアとするようにＵＥに通知する場合、階層３の命令には、前記特定のセルのアップリンク伝送キャリアの割り当てリソースがさらに含まれる。
【０１５４】
１つの可能の実施態様において、本発明に係る実施例により提供されるハンドオーバー制御装置において、ＵＥのためアップリンク伝送キャリアの割り当てリソースのセルの数は、大なりイコールＵＥの実際のアップリンク伝送に採用されるアップリンク伝送キャリアに対応するセルの数の最大値である。
【０１５５】
実際の実施において、ＵＥのアップリンク伝送のプライマリー・コンポーネント・キャリアが複数の異なるセルの間でのハンドオーバーの便宜のため、ＵＥのためアップリンク伝送キャリアの割り当てリソースのセルの数は、大なりイコールＵＥの実際のアップリンク伝送に採用されるアップリンク伝送キャリアに対応するセルの数の最大値である。例えば、ＵＥのためアップリンク伝送キャリアの割り当てリソースのセルの数は３であり、１つのプライマリーセル及び２つのセカンダリセルを含み、ＵＥがアップリンクについて単一キャリア伝送のみをサポートする。即ち、ＵＥの実際のアップリンク伝送に採用されるアップリンク伝送キャリアに対応するセルの数の最大値が１であれば、同一のタイミングにおいて、３つのセル中の１つのセルのアップリンク伝送キャリアのみを、前記ＵＥのアップリンク伝送のプライマリー・コンポーネント・キャリアとする。
【０１５６】
１つの可能の実施態様において、本発明に係る実施例により提供されるハンドオーバー制御装置は受信ユニット４０６をさらに備える。前記受信ユニット４０６は、リソース決定ユニット４０２に接続され、ＵＥのために設定した、前記ＵＥにサービスを提供するセル集合の伝送リソースを決定する前、ＵＥから報告されたアップリンク伝送のプライマリー・コンポーネント・キャリアのハンドオーバー容量をサポートする前記ＵＥの容量情報を受信する。リソース決定ユニット４０２がＵＥのために設定した、前記ＵＥにサービスを提供するセル集合の伝送リソースを決定することは、ＵＥから報告された容量情報に基づき、ＵＥのために設定した、前記ＵＥにサービスを提供するセル集合の伝送リソースを決定することである。
【０１５７】
本発明に係る実施例により提供されるアップリンク伝送のプライマリー・コンポーネント・キャリアのハンドオーバー制御装置において、リソース決定ユニット４０２は、ＣＰＵまたはシングルチップマイクロコンピュータを採用することができる。送信ユニット４０４は、送信機または信号プロジェクタを採用することができる。受信ユニット４０６は、受信機または信号受信機を採用することができる。
【０１５８】
本発明に係る実施例により提供される１つのアップリンク伝送のプライマリー・コンポーネント・キャリアのハンドオーバー装置は、図５に示すように、獲得ユニット５０２と、処理ユニット５０４とを備える。
【０１５９】
前記獲得ユニット５０２は、ネットワーク側から通知された、ＵＥにサービスを提供するためのセル集合の伝送リソースを獲得する。ここで、複数のセルのアップリンク伝送キャリアの割り当てリソースが含まれる。
【０１６０】
前記処理ユニット５０４は、獲得ユニット５０２に接続され、アップリンク伝送する必要があるプライマリー・コンポーネント・キャリアのハンドオーバーを決定する場合、新しいセルのアップリンク伝送キャリアの割り当てリソースにより、アップリンク伝送のプライマリー・コンポーネント・キャリアを、前記新しい対応のセルのアップリンク伝送キャリアにハンドオーバーする。
【０１６１】
本発明に係る実施例により提供されるアップリンク伝送のプライマリー・コンポーネント・キャリアのハンドオーバー装置において、前記ＵＥにサービスを提供するＵＥのため設定するセル集合の伝送リソースを決定することにより、ＵＥのアップリンク伝送のプライマリー・コンポーネント・キャリアが、前記ＵＥにサービスを提供するＵＥのために設定したセル集合内の複数の異なるセルの間のハンドオーバーを行えるようになり、ＵＥのアップリンク伝送のプライマリー・コンポーネント・キャリアが、柔軟に伝送できるようになり、伝送電力及びＵＥサービスの伝送要求両方に気を配ることができる。また、従来技術のマクロセルをプライマリーセルに設定して、マクロセルのアップリンク伝送キャリアを介して伝送することと比較すれば、伝送電力が大きくて、他のユーザーへの干渉が大きい問題を防ぐことができる。さらに、従来技術のスモールセルをプライマリーセルとして設定して、スモールセルのアップリンク伝送キャリアを介して伝送することと比較すれば、ＵＥの移動によるセルの頻繁なハンドオーバーにより起こされるサービスの中断及びコアネットワークシグナリング負荷の増大の問題点を防ぐことができる。そして、従来技術のセルハンドオーバーの場合の、ＵＥのアップリンク伝送キャリア及びダウンリンク伝送キャリア両方のセル間のハンドオーバーと比較すれば、ＵＥのアップリンク伝送キャリアのみのセル間のハンドオーバーを実現して、異なるセルの伝送メリットに気を配ることができる。
【０１６２】
１つの可能の実施態様において、本発明に係る実施例により提供されるハンドオーバー装置において、処理ユニット５０４は、ネットワーク側から送信されたアップリンク伝送のプライマリー・コンポーネント・キャリアをハンドオーバーする通知に基づき、アップリンク伝送する必要があるプライマリー・コンポーネント・キャリアのハンドオーバーを決定する。
【０１６３】
本発明に係る実施例により提供されるハンドオーバー装置において、基地局がＵＥにアップリンク伝送のプライマリー・コンポーネント・キャリアをハンドオーバーするように通知することにより、ＵＥのためサービスを提供するセルが２個を超える場合、複数のセルから直ちに選択しようとするセルを特定でき、セルのハンドオーバーの正確性を向上することができる。
【０１６４】
１つの可能の実施態様において、本発明に係る実施例により提供されるハンドオーバー装置において、処理ユニット５０４は、下記のいずれの態様により、ネットワーク側から送信されたアップリンク伝送のプライマリー・コンポーネント・キャリアをハンドオーバーする通知を受信する。階層３、階層２または階層１の命令により、ネットワーク側から送信された、特定のセルのアップリンク伝送キャリアを選択してアップリンク伝送のプライマリー・コンポーネント・キャリアとする通知を受信するか、または、階層３、階層２または階層１の命令により、ネットワーク側から送信された、アップリンク伝送のプライマリー・コンポーネント・キャリアのサブフレームの構成情報の通知を受信し，ここで、アップリンク伝送のプライマリー・コンポーネント・キャリアに対応するセルとサブフレームの対応関係が含まれるか、または、ネットワーク側から送信された、アップリンク伝送のプライマリー・コンポーネント・キャリアであるセカンダリセルのアップリンク伝送キャリアの割り当てリソースを非活性化する命令を、プライマリーセルのアップリンク伝送キャリアをアップリンク伝送のプライマリー・コンポーネント・キャリアとする通知とする。
【０１６５】
１つの可能の実施態様において、本発明に係る実施例により提供されるハンドオーバー装置において、当処理ユニット５０４が、ネットワーク側が階層３の命令により送信した、特定のセルのアップリンク伝送キャリアを選択してアップリンク伝送のプライマリー・コンポーネント・キャリアとする通知を受信する場合、獲得ユニット５０２は、階層３の命令から前記特定のセルのアップリンク伝送キャリアの割り当てリソースを獲得する。処理ユニット５０４は、新しいセルのアップリンク伝送キャリアの割り当てリソースにより、アップリンク伝送のプライマリー・コンポーネント・キャリアを、前記新しい対応のセルのアップリンク伝送キャリアにハンドオーバーすることは、具体的に、階層３の命令から、前記特定のセルのアップリンク伝送キャリアの割り当てリソースを獲得し、アップリンク伝送のプライマリー・コンポーネント・キャリアを、前記特定の対応のセルのアップリンク伝送キャリアにハンドオーバーする。
【０１６６】
１つの可能の実施態様において、本発明に係る実施例により提供されるハンドオーバー装置において、処理ユニット５０４は、下記のいずれかの手段により、アップリンク伝送する必要があるプライマリー・コンポーネント・キャリアのハンドオーバーを決定する。自ら開始したランダムアクセスにより、プリアンブルシーケンスが位置する伝送キャリアをアップリンク伝送のプライマリー・コンポーネント・キャリアとすることを決定する。自ら開始したＤ−ＳＲにより、Ｄ−ＳＲが位置するキャリアをアップリンク伝送のプライマリー・コンポーネント・キャリアとすることを決定する。ネットワーク側から、複数のセルのうちの１つのセルに対するアップリンクスケジューリン命令を受信する場合、前記セルのアップリンク伝送キャリアをアップリンク伝送のプライマリー・コンポーネント・キャリアとすることを決定する。
【０１６７】
本発明に係る実施例により提供されるハンドオーバー装置において、ＵＥは、基地局から送信された命令により、アップリンク伝送のプライマリー・コンポーネント・キャリアに対応するセルをハンドオーバーするだけではなく、複数のセルのアップリンク伝送リソースが複数のセルにおいて、対応のセルのアップリンク伝送キャリアをアップリンク伝送のプライマリー・コンポーネント・キャリアとすることを決定することにより、ＵＥは、複数のセルのアップリンク伝送リソースにより選択することができ、これは、ＵＥのアップリンク伝送サービスへの適応性が優れる一方、サービスの要求に応じて異なるセルを選択することができ、柔軟性がさらに高くなる。
【０１６８】
１つの可能の実施態様において、本発明に係る実施例により提供されるハンドオーバー装置において、処理ユニット５０４が、自ら開始したランダムアクセスにより、プリアンブルシーケンスが位置する伝送キャリアをアップリンク伝送のプライマリー・コンポーネント・キャリアとすることを決定する場合、処理ユニット５０４は、目下、セカンダリセルのアップリンク伝送キャリアを選択して、アップリンク伝送のプライマリー・コンポーネント・キャリアとし、前記セカンダリセルには、ＣＢＲＡ及びＤ−ＳＲリソースが割り当てられていなければ、目下、セカンダリセルのアップリンク伝送キャリアを選択して、アップリンク伝送のプライマリー・コンポーネント・キャリアとしアップリンクスケジューリンリクエストを開始する必要がある場合、目下、セカンダリセルのアップリンク伝送キャリアを選択して、アップリンク伝送のプライマリー・コンポーネント・キャリアとしプライマリーセルにハンドオーバーしてＣＢＲＡを開始し、プライマリーセルのアップリンク伝送キャリアをアップリンク伝送のプライマリー・コンポーネント・キャリアとする。または、目下、セカンダリセルのアップリンク伝送キャリアを選択して、アップリンク伝送のプライマリー・コンポーネント・キャリアとし、前記セカンダリセルにはＤ−ＳＲリソースのみが割り当てられれば、前記セカンダリセルにおいてＤ−ＳＲ伝送が失敗となった場合、目下、セカンダリセルのアップリンク伝送キャリアを選択して、アップリンク伝送のプライマリー・コンポーネント・キャリアとしプライマリーセルにハンドオーバーしてＣＢＲＡを開始し、プライマリーセルのアップリンク伝送キャリアをアップリンク伝送のプライマリー・コンポーネント・キャリアとする。または、目下、セカンダリセルのアップリンク伝送キャリアを選択してアップリンク伝送のプライマリー・コンポーネント・キャリアとし、前記セカンダリセルの伝送クオリティが要求を満たさなければ、プライマリーセルのアップリンク伝送キャリアをアップリンク伝送のプライマリー・コンポーネント・キャリアとし、ＲＡを開始する。
【０１６９】
１つの可能の実施態様において、本発明に係る実施例により提供されるハンドオーバー装置において、処理ユニット５０４が、自ら開始したＤ−ＳＲにより、Ｄ−ＳＲが位置するキャリアをアップリンク伝送のプライマリー・コンポーネント・キャリアとすることを決定する場合、処理ユニット５０４は、目下、セカンダリセルのアップリンク伝送キャリアを選択して、アップリンク伝送のプライマリー・コンポーネント・キャリアとし、前記セカンダリセルには、ＣＢＲＡ及びＤ−ＳＲリソースが割り当てられていなければ、目下、セカンダリセルのアップリンク伝送キャリアを選択して、アップリンク伝送のプライマリー・コンポーネント・キャリアとしアップリンクスケジューリンリクエストを開始する必要がある場合、プライマリーセルにハンドオーバーしてＤ−ＳＲを開始し、プライマリーセルのアップリンク伝送キャリアをアップリンク伝送のプライマリー・コンポーネント・キャリアとする。
【０１７０】
１つの可能の実施態様において、本発明に係る実施例により提供されるハンドオーバー装置において、選択されていないアップリンク伝送キャリアについて、処理ユニット５０４は、以下のステップうちの1つまたはこれらの任意の組み合わせで動作する。前記アップリンク伝送キャリアの全部の割り当てリソースを維持する。前記アップリンク伝送キャリアにおける全部の伝送を停止する。前記アップリンク伝送キャリアに対応するＨＡＲＱバッファーを除去し、前記アップリンク伝送キャリアに対応するアップリンク許可情報を除去する。媒体アクセス制御（ＭＡＣ）アップリンクと関連するコンテキストをリセットする。
【０１７１】
実際の実施において、選択されていないアップリンク伝送キャリアについて、前記アップリンク伝送キャリアの全部の割り当てリソースを維持する。こうして、前記アップリンク伝送キャリアを再度選択してアップリンク伝送のプライマリー・コンポーネント・キャリアとすることに有利になり、これとともに、前記アップリンク伝送キャリアに対応するＨＡＲＱバッファーを除去して、基地局またはサーバ―の記憶空間を解放する。前記アップリンク伝送キャリアに対応するアップリンク許可情報を除去して、他のアップリンク伝送キャリアをアップリンク伝送のプライマリー・コンポーネント・キャリアとすることが許容されるようになり、許可情報の衝突が原因である、ＵＥがアップリンク伝送キャリアの容量を超えることを防ぐことができる。
【０１７２】
１つの可能の実施態様において、本発明に係る実施例により提供されるハンドオーバー装置において、処理ユニット５０４は、目下、プライマリー対応のセルのアップリンク伝送キャリアを選択してアップリンク伝送のプライマリー・コンポーネント・キャリアとすれば、ネットワーク側から送信された、セカンダリセルを活性化する命令を受信した場合、前記セカンダリセルのダウンリンク伝送リソースのみを活性化する。目下、セカンダリ対応のセルのアップリンク伝送キャリアを選択してアップリンク伝送のプライマリー・コンポーネント・キャリアとすれば、ネットワーク側から送信された、セカンダリセルを非活性化する命令を受信した場合、前記セカンダリセルのアップリンク伝送リソースのみを非活性化し、プライマリー対応のセルのアップリンク伝送キャリアをアップリンク伝送のプライマリー・コンポーネント・キャリアとする。
【０１７３】
実際の実施において、基地局が、ＵＥに、対応のセルのアップリンク伝送リソースまたはダウンリンク伝送リソースを活性化または非活性化するように通知する場合、対応のセルのアップリンク伝送リソースまたはダウンリンク伝送リソースをともに活性化または非活性化してもよく、対応のセルのアップリンク伝送リソースまたはダウンリンク伝送リソースのうちの１つのみを活性化または非活性化してもよい。
【０１７４】
１つの可能の実施態様において、本発明に係る実施例により提供されるハンドオーバー装置は、報告ユニット５０６をさらに備える。前記報告ユニット５０６は、獲得ユニット５０２に接続され、ネットワーク側から通知された、前記ＵＥにサービスを提供するためのセル集合の伝送リソースを獲得する前、アップリンク伝送のプライマリー・コンポーネント・キャリアのハンドオーバー容量をサポートする容量情報を、ネットワーク側に報告する。
【０１７５】
１つの可能の実施態様において、本発明に係る実施例により提供されるハンドオーバー装置において、処理ユニット５０４が、ｎタイミングにおいて、アップリンク伝送する必要があるプライマリー・コンポーネント・キャリアのハンドオーバーを決定すれば、ｎ＋ｋタイミングにおいて、新しいアップリンク伝送のプライマリー・コンポーネント・キャリアが発効され、ここで、k>=０である。ｎタイミングまたはｎ＋ｋタイミングにおいて、最初のアップリンク伝送のプライマリー・コンポーネント・キャリアにおける伝送を停止する。
【０１７６】
実際の実施において、本発明に係る実施例のＵＥのアップリンク伝送のプライマリー・コンポーネント・キャリアのハンドオーバーが遅延される場合、アップリンク伝送のプライマリー・コンポーネント・キャリアのハンドオーバーのタイミングは、ｎタイミングにおいて、ＵＥは、アップリンク伝送のプライマリー・コンポーネント・キャリアのハンドオーバー（例えば、基地局から、アップリンク伝送のプライマリー・コンポーネント・キャリアをハンドオーバーする通知を受信する）を行うことを決定する。ｎ＋ｋタイミングにおいて、新しいアップリンク伝送のプライマリー・コンポーネント・キャリアが発効される。即ち、アップリンク伝送が必要とすれば、ハンドオーバー後のセルのアップリンク伝送キャリアにより伝送し、ここで、k>=０である。ＵＥは、ｎタイミングまたはｎ＋ｋタイミングにおいて、最初のアップリンク伝送キャリアによる伝送を停止する。
【０１７７】
本発明に係る実施例により提供されるアップリンク伝送のプライマリー・コンポーネント・キャリアのハンドオーバー装置において、獲得ユニット５０２は、受信機または信号受信機を採用することができる。処理ユニット５０４は、ＣＰＵまたはシングルチップマイクロコンピュータを採用することができる。報告ユニット５０６は、送信機または信号プロジェクタを採用することができる。
【０１７８】
本発明に係る実施例により提供される基地局は、本発明に係る実施例により提供されるアップリンク伝送のプライマリー・コンポーネント・キャリアのハンドオーバー制御装置を備える。
【０１７９】
本発明に係る実施例により提供される基地局において、基地局に、アップリンク伝送のプライマリー・コンポーネント・キャリアのハンドオーバー制御装置を追加し、ＵＥのために設定した、前記ＵＥにサービスを提供するセル集合のアップリンク伝送リソースを決定することにより、ＵＥのアップリンク伝送のプライマリー・コンポーネント・キャリアが、前記ＵＥにサービスを提供するＵＥのために設定したセル集合内の複数の異なるセルの間のハンドオーバーを行えるようになり、ＵＥのアップリンク伝送のプライマリー・コンポーネント・キャリアが、柔軟に伝送できるようになり、伝送電力及びＵＥサービスの伝送要求両方に気を配ることができる。また、従来技術のマクロセルをプライマリーセルに設定して、マクロセルのアップリンク伝送キャリアを介して伝送することと比較すれば、伝送電力が大きくて、他のユーザーへの干渉が大きい問題を防ぐことができる。また、従来技術のスモールセルをプライマリーセルとして設定して、スモールセルのアップリンク伝送キャリアを介して伝送することと比較すれば、ＵＥの移動によるセルの頻繁なハンドオーバーにより起こされるサービスの中断及びコアネットワークシグナリング負荷の増大の問題点を防ぐことができる。また、従来技術のセルハンドオーバーの場合の、ＵＥのアップリンク伝送キャリア及びダウンリンク伝送キャリア両方のセル間のハンドオーバーと比較すれば、ＵＥのアップリンク伝送キャリアのみのセル間のハンドオーバーを実現して、異なるセルの伝送メリットに気を配ることができる。
【０１８０】
本発明に係る実施例により提供されるＵＥは、本発明に係る実施例により提供されるアップリンク伝送のプライマリー・コンポーネント・キャリアのハンドオーバー装置を備える。
【０１８１】
本発明に係る実施例により提供されるＵＥにおいて、ＵＥにアップリンク伝送のプライマリー・コンポーネント・キャリアのハンドオーバー装置を追加し、ＵＥのために設定した、前記ＵＥにサービスを提供するセル集合のアップリンク伝送リソースを決定することにより、ＵＥのアップリンク伝送のプライマリー・コンポーネント・キャリアが、前記ＵＥにサービスを提供するＵＥのために設定したセル集合内の複数の異なるセルの間のハンドオーバーを行えるようになり、ＵＥのアップリンク伝送のプライマリー・コンポーネント・キャリアが、柔軟に伝送できるようになり、伝送電力及びＵＥサービスの伝送要求両方に気を配ることができる。また、従来技術のマクロセルをプライマリーセルに設定して、マクロセルのアップリンク伝送キャリアを介して伝送することと比較すれば、伝送電力が大きくて、他のユーザーへの干渉が大きい問題を防ぐことができる。また、従来技術のスモールセルをプライマリーセルとして設定して、スモールセルのアップリンク伝送キャリアを介して伝送することと比較すれば、ＵＥの移動によるセルの頻繁なハンドオーバーにより起こされるサービスの中断及びコアネットワークシグナリング負荷の増大の問題点を防ぐことができる。また、従来技術のセルハンドオーバーの場合の、ＵＥのアップリンク伝送キャリア及びダウンリンク伝送キャリア両方のセル間のハンドオーバーと比較すれば、ＵＥのアップリンク伝送キャリアのみのセル間のハンドオーバーを実現して、異なるセルの伝送メリットに気を配ることができる。
【０１８２】
上述の実施例により提供される基地局側の、アップリンク伝送のプライマリー・コンポーネント・キャリアのハンドオーバー制御方法及び装置を踏まえ、本発明に係る実施例により提供される基地局は、図６に示すように、前記基地局は、送受信機６００と、プロセッサ６０２と、メモリ６０４とを備える。また、バスインターフェース６０６及びユーザーインターフェース６０８を備える。
【０１８３】
プロセッサ６０２は、メモリ内のプログラムを読み出し、以下のように執行される。ＵＥのために設定した、前記ＵＥにサービスを提供するセル集合の伝送リソースを決定する。ここで、複数のセルのアップリンク伝送キャリアの割り当てリソースが含まれる。また、前記ＵＥのアップリンク伝送のプライマリー・コンポーネント・キャリアの、異なる対応のセルのアップリンク伝送キャリアの間のハンドオーバーを実現するため、送受信機６００により、セル集合の伝送リソースを前記ＵＥに通知する。
【０１８４】
メモリ６０４は、１つのまたは複数の執行可能のプログラムを記憶し、プロセッサ６０２の設定に利用される。
【０１８５】
図６において、バスアーキテクチャは、いずれかの数の相互接続するバス及びブリッジを備える。具体的に、プロセッサ６０２が代表となる１つまたは複数のプロセッサ及びメモリ６０４が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６００は、複数の部品であることができ、即ち、送信機及び受信機を備え、伝送媒体を介して他の装置と通信するユニットを提供する。プロセッサ６０２は、バスアーキテクチャ及び通常の処理を監視し、メモリ６０４は、プロセッサ６０２が動作する際に利用するデータを記憶することができる。バスインターフェース６０６はインターフェースを提供する。異なるユーザー設備に対し、ユーザーインターフェース６０８は、外部接続または内部接続に必要な設備のインターフェースであることもできる。接続する設備は、キーパッド、ディスプレー、スピーカー、マイクロホン、ジョイスティック等を備えるが、これに限られない。１つの可能の実施態様において、各々セルのアップリンク伝送キャリアの割り当てリソースは、ＣＢＲＡリソース、Ｄ−ＳＲリソース及びＰＵＣＣＨリソースを含む。
【０１８６】
また、１つの可能の実施態様において、プロセッサ６０２は、送受信機６００により、アップリンク伝送のプライマリー・コンポーネント・キャリアをハンドオーバーするようにＵＥに通知する。
【０１８７】
１つの可能の実施態様において、プロセッサ６０２は、階層３、階層２または階層１の命令により、特定のセルのアップリンク伝送キャリアを選択してアップリンク伝送のプライマリー・コンポーネント・キャリアとするようにＵＥに通知するか、または、階層３、階層２または階層１の命令により、ＵＥのアップリンク伝送のプライマリー・コンポーネント・キャリアのサブフレームの構成情報を通知する。ここで、アップリンク伝送のプライマリー・コンポーネント・キャリアに対応するセルとサブフレームの対応関係が含まれる。または、目下ＵＥのアップリンク伝送のプライマリー・コンポーネント・キャリアであるセカンダリセルのアップリンク伝送キャリアの割り当てリソースを非活性化することにより、プライマリーセルのアップリンク伝送キャリアをアップリンク伝送のプライマリー・コンポーネント・キャリアとすることを、前記ＵＥに指示する。
【０１８８】
１つの可能の実施態様において、プロセッサ６０２は、階層３の命令により、特定のセルのアップリンク伝送キャリアを選択してアップリンク伝送のプライマリー・コンポーネント・キャリアとするようにＵＥに通知する場合、階層３の命令には、前記特定のセルのアップリンク伝送キャリアの割り当てリソースがさらに含まれる。
【０１８９】
１つの可能の実施態様において、ＵＥのためアップリンク伝送キャリアの割り当てリソースのセルの数は、大なりイコールＵＥの実際のアップリンク伝送に採用されるアップリンク伝送キャリアに対応するセルの数の最大値である。
【０１９０】
１つの可能の実施態様において、プロセッサ６０２は、ＵＥのために設定した、前記ＵＥにサービスを提供するセル集合の伝送リソースを決定する前、送受信機６００により、ＵＥから報告されたアップリンク伝送のプライマリー・コンポーネント・キャリアのハンドオーバー容量をサポートする前記ＵＥの容量情報を受信する。また、プロセッサ６０２が、ＵＥのために設定した、前記ＵＥにサービスを提供するセル集合の伝送リソースを決定することは、ＵＥから報告された容量情報に基づき、ＵＥのために設定した、前記ＵＥにサービスを提供するセル集合の伝送リソースを決定することである。
【０１９１】
上述の実施例により提供されるユーザー側のアップリンク伝送のプライマリー・コンポーネント・キャリアのハンドオーバー方法及び装置を踏まえ、本発明の実施例により提供されるＵＥは、図７に示すように、前記ＵＥは、送受信機７００と、プロセッサ７０２と、メモリ７０４とを備える。また、バスインターフェース７０６及びユーザーインターフェース７０８をさらに備える。
【０１９２】
プロセッサ７０２は、メモリ７０４内のプログラムを読み出し、下記のように執行される。送受信機７００により、ネットワーク側から通知された、ＵＥにサービスを提供するためのセル集合の伝送リソースを獲得する。ここで、複数のセルのアップリンク伝送キャリアの割り当てリソースが含まれる。また、送受信機７００に接続され、アップリンク伝送する必要があるプライマリー・コンポーネント・キャリアのハンドオーバーを決定する場合、新しいセルのアップリンク伝送キャリアの割り当てリソースにより、アップリンク伝送のプライマリー・コンポーネント・キャリアを、前記新しい対応のセルのアップリンク伝送キャリアにハンドオーバーする。
【０１９３】
メモリ７０４は、１つまたは複数の執行可能のプログラムを記憶し、プロセッサ７０２の設定に用いられる。
【０１９４】
図７において、バスアーキテクチャは、いずれ数の相互接続するバス及びブリッジを備える。具体的に、プロセッサ７０２が代表となる１つまたは複数のプロセッサ及びメモリ７０４が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機７００は、複数の部品であることができ、即ち、送信機及び受信機を備え、伝送媒体を介して他の装置と通信するユニットを提供する。プロセッサ７０２は、バスアーキテクチャ及び通常の処理を監視し、メモリ７０４は、プロセッサ７０２が動作する際に利用するデータを記憶することができる。バスインターフェース７０６はインターフェースを提供する。異なるユーザー設備に対し、ユーザーインターフェース７０８は、外部接続または内部接続に必要な設備のインターフェースであることもできる。接続する設備は、キーパッド、ディスプレー、スピーカー、マイクロホン、ジョイスティック等を備えるが、これに限られない。
【０１９５】
１つの可能の実施態様において、プロセッサ７０２は、ネットワーク側から送信されたアップリンク伝送のプライマリー・コンポーネント・キャリアをハンドオーバーする通知により、アップリンク伝送する必要があるプライマリー・コンポーネント・キャリアのハンドオーバーを決定する。
【０１９６】
１つの可能の実施態様において、プロセッサ７０２は、下記いずれの態様により、ネットワーク側から送信されたアップリンク伝送のプライマリー・コンポーネント・キャリアをハンドオーバーする通知を受信する。階層３、階層２または階層１の命令により、ネットワーク側から送信された、特定のセルのアップリンク伝送キャリアを選択してアップリンク伝送のプライマリー・コンポーネント・キャリアとする通知を受信するか、または、階層３、階層２または階層１の命令により、ネットワーク側から送信された、アップリンク伝送のプライマリー・コンポーネント・キャリアのサブフレームの構成情報の通知を受信し、ここで、アップリンク伝送のプライマリー・コンポーネント・キャリアに対応するセルとサブフレームの対応関係が含まれる。または、ネットワーク側から送信された、アップリンク伝送のプライマリー・コンポーネント・キャリアであるセカンダリセルのアップリンク伝送キャリアの割り当てリソースを非活性化する命令を、プライマリーセルのアップリンク伝送キャリアをアップリンク伝送のプライマリー・コンポーネント・キャリアとする通知とする。
【０１９７】
１つの可能の実施態様において、当プロセッサ７０２が、ネットワーク側が階層３の命令により送信した、特定のセルのアップリンク伝送キャリアを選択してアップリンク伝送のプライマリー・コンポーネント・キャリアとする通知を受信する場合、プロセッサ７０２は、階層３の命令から前記特定のセルのアップリンク伝送キャリアの割り当てリソースを獲得する。プロセッサ７０２が、新しいセルのアップリンク伝送キャリアの割り当てリソースにより、アップリンク伝送のプライマリー・コンポーネント・キャリアを、前記新しい対応のセルのアップリンク伝送キャリアにハンドオーバーすることは、階層３の命令から、前記特定のセルのアップリンク伝送キャリアの割り当てリソースを獲得し、アップリンク伝送のプライマリー・コンポーネント・キャリアを、前記特定の対応のセルのアップリンク伝送キャリアにハンドオーバーすることである。
【０１９８】
１つの可能の実施態様において、プロセッサ７０２は、下記いずれの態様によりアップリンク伝送する必要があるプライマリー・コンポーネント・キャリアのハンドオーバーを決定する。自ら開始したランダムアクセスにより、プリアンブルシーケンスが位置する伝送キャリアをアップリンク伝送のプライマリー・コンポーネント・キャリアとすることを決定する。自ら開始したＤ−ＳＲにより、Ｄ−ＳＲが位置するキャリアをアップリンク伝送のプライマリー・コンポーネント・キャリアとすることを決定する。ネットワーク側から、複数のセルのうちの１つのセルに対するアップリンクスケジューリン命令を受信する場合、前記セルのアップリンク伝送キャリアをアップリンク伝送のプライマリー・コンポーネント・キャリアとすることを決定する。
【０１９９】
１つの可能の実施態様において、プロセッサ７０２が、自ら開始したランダムアクセスにより、プリアンブルシーケンスが位置する伝送キャリアをアップリンク伝送のプライマリー・コンポーネント・キャリアとすることを決定する場合、プロセッサ７０２は、目下、セカンダリセルのアップリンク伝送キャリアを選択して、アップリンク伝送のプライマリー・コンポーネント・キャリアとし、前記セカンダリセルには、ＣＢＲＡ及びＤ−ＳＲリソースが割り当てられていなければ、目下、セカンダリセルのアップリンク伝送キャリアを選択して、アップリンク伝送のプライマリー・コンポーネント・キャリアとしアップリンクスケジューリンリクエストを開始する必要がある場合、目下、セカンダリセルのアップリンク伝送キャリアを選択して、アップリンク伝送のプライマリー・コンポーネント・キャリアとしプライマリーセルにハンドオーバーしてＣＢＲＡを開始し、プライマリーセルのアップリンク伝送キャリアをアップリンク伝送のプライマリー・コンポーネント・キャリアとする。また、目下、セカンダリセルのアップリンク伝送キャリアを選択して、アップリンク伝送のプライマリー・コンポーネント・キャリアとし、前記セカンダリセルにはＤ−ＳＲリソースのみが割り当てられれば、前記セカンダリセルにおいてＤ−ＳＲ伝送が失敗となった場合、目下、セカンダリセルのアップリンク伝送キャリアを選択して、アップリンク伝送のプライマリー・コンポーネント・キャリアとしプライマリーセルにハンドオーバーしてＣＢＲＡを開始し、プライマリーセルのアップリンク伝送キャリアをアップリンク伝送のプライマリー・コンポーネント・キャリアとする。また、目下、セカンダリセルのアップリンク伝送キャリアを選択してアップリンク伝送のプライマリー・コンポーネント・キャリアとし、前記セカンダリセルの伝送クオリティが要求を満たさなければ、プライマリーセルのアップリンク伝送キャリアをアップリンク伝送のプライマリー・コンポーネント・キャリアとし、ＲＡを開始する。
【０２００】
１つの可能の実施態様において、プロセッサ７０２が、自ら開始したＤ−ＳＲにより、Ｄ−ＳＲが位置するキャリアをアップリンク伝送のプライマリー・コンポーネント・キャリアとすることを決定する場合、プロセッサ７０２は、目下、セカンダリセルのアップリンク伝送キャリアを選択して、アップリンク伝送のプライマリー・コンポーネント・キャリアとし、前記セカンダリセルには、ＣＢＲＡ及びＤ−ＳＲリソースが割り当てられていなければ、目下、セカンダリセルのアップリンク伝送キャリアを選択して、アップリンク伝送のプライマリー・コンポーネント・キャリアとしアップリンクスケジューリンリクエストを開始する必要がある場合、プライマリーセルにハンドオーバーしてＤ−ＳＲを開始し、プライマリーセルのアップリンク伝送キャリアをアップリンク伝送のプライマリー・コンポーネント・キャリアとする。
【０２０１】
１つの可能の実施態様において、選択されていないアップリンク伝送キャリアについて、プロセッサ７０２は、下記のいずれの機能、またはこれらの任意の組み合わせに用いられる。前記アップリンク伝送キャリアの全部の割り当てリソースを維持する。前記アップリンク伝送キャリアにおける全部の伝送を停止する。前記アップリンク伝送キャリアに対応するＨＡＲＱバッファーを除去し、前記アップリンク伝送キャリアに対応するアップリンク許可情報を除去する。媒体アクセス制御（ＭＡＣ）アップリンクと関連するコンテキストをリセットする。
【０２０２】
１つの可能の実施態様において、プロセッサ７０２は、目下、プライマリー対応のセルのアップリンク伝送キャリアを選択してアップリンク伝送のプライマリー・コンポーネント・キャリアとすれば、ネットワーク側から送信された、セカンダリセルを活性化する命令を受信した場合、前記セカンダリセルのダウンリンク伝送リソースのみを活性化し、目下、セカンダリ対応のセルのアップリンク伝送キャリアを選択してアップリンク伝送のプライマリー・コンポーネント・キャリアとすれば、ネットワーク側から送信された、セカンダリセルを非活性化する命令を受信した場合、前記セカンダリセルのアップリンク伝送リソースのみを非活性化し、プライマリー対応のセルのアップリンク伝送キャリアをアップリンク伝送のプライマリー・コンポーネント・キャリアとする。
【０２０３】
１つの可能の実施態様において、プロセッサ７０２は、ネットワーク側から通知された、前記ＵＥにサービスを提供するためのセル集合の伝送リソースを獲得する前、送受信機７００により、アップリンク伝送のプライマリー・コンポーネント・キャリアのハンドオーバー容量をサポートする容量情報を、ネットワーク側に報告する。
【０２０４】
１つの可能の実施態様において、プロセッサ７０２ｎタイミングにおいて、アップリンク伝送する必要があるプライマリー・コンポーネント・キャリアのハンドオーバーを決定すれば、ｎ＋ｋタイミングにおいて、新しいアップリンク伝送のプライマリー・コンポーネント・キャリアが発効され、ここで、k>=０である。ｎタイミングまたはｎ＋ｋタイミングにおいて、最初のアップリンク伝送のプライマリー・コンポーネント・キャリアにおける伝送を停止する。
【０２０５】
本発明に係る実施例は、アップリンク伝送のプライマリー・コンポーネント・キャリアのハンドオーバー及びその制御方法、装置、基地局及びＵＥを提供し、前記ＵＥにサービスを提供するＵＥのため設定するセル集合の伝送リソースを決定することにより、ＵＥのアップリンク伝送のプライマリー・コンポーネント・キャリアが、前記ＵＥにサービスを提供するＵＥのために設定したセル集合内の複数の異なるセルの間のハンドオーバーを行えるようになり、ＵＥのアップリンク伝送のプライマリー・コンポーネント・キャリアが、柔軟に伝送できるようになり、伝送電力及びＵＥサービスの伝送要求両方に気を配ることができる。
【０２０６】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０２０７】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０２０８】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０２０９】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０２１０】
上述した実施形態に記述された技術的な解決手段を改造し、或いはその中の一部の技術要素を置換することもできる。そのような、改造と置換は本発明の各実施形態の技術の範囲から逸脱するとは見なされない。
【０２１１】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０２１２】
本出願は、２０１４年８月２９日に中国特許局に提出し、出願番号が２０１４１０４３８６９９.Ｘであり、発明名称が「アップリンク伝送のプライマリー・コンポーネント・キャリアのハンドオーバー及びその制御方法、装置、基地局及びＵＥ」との中国特許出願を基礎とする優先権を主張し、その開示の総てをここに取り込む。
【符号の説明】
【０２１３】
４０２  リソース決定ユニット
４０４  送信ユニット
４０６  受信ユニット
５０２  獲得ユニット
５０４  処理ユニット
５０６  報告ユニット
６００  送受信機
６０２  プロセッサ
６０４  メモリ
６０６  バスインターフェース
６０８  ユーザーインターフェース
７００  送受信機
７０２  プロセッサ
７０４  メモリ
７０６  バスインターフェース
７０８  ユーザーインターフェース
【図１】
2017526301.tif 000003
【図２】
2017526301.tif 000004
【図３】
2017526301.tif 000005
【図４】
2017526301.tif 000006
【図５】
2017526301.tif 000007
【図６】
2017526301.tif 000008
【図７】
2017526301.tif 000009
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
ＵＥのために設定した、前記ＵＥにサービスを提供するセル集合の伝送リソースを決定するステップであって、前記ＵＥのアップリンク伝送のプライマリー・コンポーネント・キャリアの、異なる対応のセルのアップリンク伝送キャリアの間のハンドオーバーを実現するための、複数のセルのアップリンク伝送キャリアの割り当てリソースが含まれる前記決定ステップと、
前記セル集合の伝送リソースを前記ＵＥに通知するステップと
を備えることを特徴とするアップリンク伝送のプライマリー・コンポーネント・キャリアのハンドオーバー制御方法。
【請求項２】
各々セルのアップリンク伝送キャリアの割り当てリソースは、
ＣＢＲＡリソースと、専用スケジューリングリクエスト（Ｄ−ＳＲ）リソースと、ＰＵＣＣＨリソースとを含む
ことを特徴とする請求項１に記載のアップリンク伝送のプライマリー・コンポーネント・キャリアのハンドオーバー制御方法。
【請求項３】
前記ＵＥにアップリンク伝送のプライマリー・コンポーネント・キャリアをハンドオーバーするように通知するステップ
をさらに備えることを特徴とする請求項１に記載のアップリンク伝送のプライマリー・コンポーネント・キャリアのハンドオーバー制御方法。
【請求項４】
前記ＵＥにアップリンク伝送のプライマリー・コンポーネント・キャリアをハンドオーバーするように通知するステップにおいて、
階層３、階層２または階層１の命令により、前記ＵＥに、特定のセルのアップリンク伝送キャリアを選択してアップリンク伝送のプライマリー・コンポーネント・キャリアとすることを通知するか、または、
階層３、階層２または階層１の命令により、前記ＵＥに、アップリンク伝送のプライマリー・コンポーネント・キャリアのサブフレームの構成情報を通知し、ここで、アップリンク伝送のプライマリー・コンポーネント・キャリアに対応するセルとサブフレームの対応関係が含まれるか、または、
前記ＵＥのアップリンク伝送のプライマリー・コンポーネント・キャリアとする現行セカンダリセルのアップリンク伝送キャリアの割り当てリソースを非活性化することにより、プライマリーセルのアップリンク伝送キャリアをアップリンク伝送のプライマリー・コンポーネント・キャリアとすることを、前記ＵＥに指示する
ことを特徴とする請求項３に記載のアップリンク伝送のプライマリー・コンポーネント・キャリアのハンドオーバー制御方法。
【請求項５】
階層３の命令により、前記ＵＥに、特定のセルのアップリンク伝送キャリアを選択してアップリンク伝送のプライマリー・コンポーネント・キャリアとすることを通知する場合、前記階層３の命令には、前記特定のセルのアップリンク伝送キャリアの割り当てリソースがさらに含まれる
ことを特徴とする請求項４に記載のアップリンク伝送のプライマリー・コンポーネント・キャリアのハンドオーバー制御方法。
【請求項６】
前記ＵＥのためにアップリンク伝送キャリアの割り当てリソースを提供するセＵＥのルの数は、大なりイコール前記ＵＥの実際のアップリンク伝送に採用されるアップリンク伝送キャリアに対応するセルの数の最大値である
ことを特徴とする請求項５に記載のアップリンク伝送のプライマリー・コンポーネント・キャリアのハンドオーバー制御方法。
【請求項７】
前記ＵＥのために設定した、前記ＵＥにサービスを提供するセル集合の伝送リソースを決定する前、前記方法は、アップリンク伝送のプライマリー・コンポーネント・キャリアのハンドオーバー容量をサポートする前記ＵＥの容量情報を、受信するステップをさらに備え、
前記ＵＥのために設定した、前記ＵＥにサービスを提供するセル集合の伝送リソースを決定するステップは、前記ＵＥから報告された前記容量情報に基づいて、前記ＵＥのために設定した、前記ＵＥにサービスを提供するセル集合の伝送リソースを決定するステップである
ことを特徴とする請求項１ないし請求項５のいずれか１項に記載のアップリンク伝送のプライマリー・コンポーネント・キャリアのハンドオーバー制御方法。
【請求項８】
ＵＥが、ネットワーク側から通知された、前記ＵＥのためサービスを提供するセル集合の伝送リソースを獲得するステップであって、ここで、複数のセルのアップリンク伝送キャリアの割り当てリソースが含まれる前記獲得ステップと、
前記ＵＥがアップリンク伝送のプライマリー・コンポーネント・キャリアのハンドオーバーを行う必要があると決定する場合、前記ＵＥが、新しいセルのアップリンク伝送キャリアの割り当てリソースにより、アップリンク伝送のプライマリー・コンポーネント・キャリアを、前記新しい対応のセルのアップリンク伝送キャリアにハンドオーバーするステップと
を備えることを特徴とするアップリンク伝送のプライマリー・コンポーネント・キャリアのハンドオーバー方法。
【請求項９】
前記ＵＥは、ネットワーク側から送信されたアップリンク伝送のプライマリー・コンポーネント・キャリアをハンドオーバーする通知に基づき、アップリンク伝送する必要があるプライマリー・コンポーネント・キャリアのハンドオーバーを決定する
ことを特徴とする請求項８に記載のアップリンク伝送のプライマリー・コンポーネント・キャリアのハンドオーバー方法。
【請求項１０】
前記ＵＥは、下記のいずれかの態様により、ネットワーク側から送信されたアップリンク伝送のプライマリー・コンポーネント・キャリアをハンドオーバーする通知を受信し、
階層３、階層２または階層１の命令により、ネットワーク側から送信された、特定のセルのアップリンク伝送キャリアを選択してアップリンク伝送のプライマリー・コンポーネント・キャリアとする通知を受信するか、または、
階層３、階層２または階層１の命令により、ネットワーク側から送信された、アップリンク伝送のプライマリー・コンポーネント・キャリアのサブフレームの構成情報の通知を受信し，ここで、アップリンク伝送のプライマリー・コンポーネント・キャリアに対応するセルとサブフレームの対応関係が含まれるか、または、
ネットワーク側から送信された、前記ＵＥのアップリンク伝送のプライマリー・コンポーネント・キャリアである現行セカンダリセルのアップリンク伝送キャリアの割り当てリソースを非活性化する命令を、前記ＵＥがプライマリーセルのアップリンク伝送キャリアをアップリンク伝送のプライマリー・コンポーネント・キャリアとする通知とする
ことを特徴とする請求項９に記載のアップリンク伝送のプライマリー・コンポーネント・キャリアのハンドオーバー方法。
【請求項１１】
前記ＵＥが階層３の命令により、ネットワーク側から送信された、特定のセルのアップリンク伝送キャリアを選択してアップリンク伝送のプライマリー・コンポーネント・キャリアとする通知を受信する場合、前記方法は、
前記ＵＥが、前記階層３の命令から、前記特定のセルのアップリンク伝送キャリアの割り当てリソースを獲得するステップをさらに備え、
前記ＵＥが、新しいセルのアップリンク伝送キャリアの割り当てリソースにより、アップリンク伝送のプライマリー・コンポーネント・キャリアを、前記新しい対応のセルのアップリンク伝送キャリアにハンドオーバーするステップは、
前記ＵＥが、前記階層３の命令から獲得した前記特定のセルのアップリンク伝送キャリアの割り当てリソースにより、アップリンク伝送のプライマリー・コンポーネント・キャリアを、前記特定の対応のセルのアップリンク伝送キャリアにハンドオーバーするステップである
ことを特徴とする請求項１０に記載のアップリンク伝送のプライマリー・コンポーネント・キャリアのハンドオーバー方法。
【請求項１２】
前記ＵＥは、下記のいずれの態様により、アップリンク伝送する必要があるプライマリー・コンポーネント・キャリアのハンドオーバーを決定し、
前記ＵＥは、自ら開始したランダムアクセスにより、プリアンブルシーケンスが位置する伝送キャリアをアップリンク伝送のプライマリー・コンポーネント・キャリアとすることを決定し、
前記ＵＥは、自ら開始した専用スケジューリングリクエスト（Ｄ−ＳＲ）により、Ｄ−ＳＲが位置するキャリアをアップリンク伝送のプライマリー・コンポーネント・キャリアとすることを決定し、
前記ＵＥがネットワーク側から、前記複数のセルのうちの１つのセルに対するアップリンクスケジューリン命令を受信した場合、前記ＵＥは、前記セルのアップリンク伝送キャリアをアップリンク伝送のプライマリー・コンポーネント・キャリアとすることを決定する
ことを特徴とする請求項８に記載のアップリンク伝送のプライマリー・コンポーネント・キャリアのハンドオーバー方法。
【請求項１３】
前記ＵＥが、自ら開始したランダムアクセスにより、プリアンブルシーケンスが位置する伝送キャリアをアップリンク伝送のプライマリー・コンポーネント・キャリアとすることを決定する場合、前記方法は、
前記ＵＥが、目下、セカンダリセルのアップリンク伝送キャリアを選択してアップリンク伝送のプライマリー・コンポーネント・キャリアとし、前記セカンダリセルにはＣＢＲＡリソース及びＤ−ＳＲリソースが割り当てられていなければ、前記ＵＥがアップリンクスケジューリンリクエストを開始する場合、前記ＵＥは、プライマリーセルにハンドオーバーしてＣＢＲＡを開始し、プライマリーセルのアップリンク伝送キャリアをアップリンク伝送のプライマリー・コンポーネント・キャリアとするか、または、
前記ＵＥが、目下、セカンダリセルのアップリンク伝送キャリアを選択してアップリンク伝送のプライマリー・コンポーネント・キャリアとし、且つ前記セカンダリセルにはＤ−ＳＲリソースのみが設定されれば、前記セカンダリセルにおいて前記ＵＥのＤ−ＳＲ伝送が失敗される場合、前記ＵＥは、プライマリーセルにハンドオーバーしてＣＢＲＡを開始し、プライマリーセルのアップリンク伝送キャリアをアップリンク伝送のプライマリー・コンポーネント・キャリアとするか、または、
前記ＵＥが、目下、セカンダリセルのアップリンク伝送キャリアを選択してアップリンク伝送のプライマリー・コンポーネント・キャリアとし、且つ前記セカンダリセルの伝送クオリティが要求を満たさない場合、前記ＵＥは、プライマリーセルのアップリンク伝送キャリアをアップリンク伝送のプライマリー・コンポーネント・キャリアとし、ランダムアクセス（ＲＡ）を開始ずる
ことを特徴とする請求項１２に記載のアップリンク伝送のプライマリー・コンポーネント・キャリアのハンドオーバー方法。
【請求項１４】
前記ＵＥが、自ら開始したＤ−ＳＲにより、Ｄ−ＳＲが位置するキャリアをアップリンク伝送のプライマリー・コンポーネント・キャリアとすることを決定する場合、前記方法は、
前記ＵＥが、目下、セカンダリセルのアップリンク伝送キャリアを選択してアップリンク伝送のプライマリー・コンポーネント・キャリアとし、且つ前記セカンダリセルにはＣＢＲＡ及びＤ−ＳＲリソースが設定されていなければ、前記ＵＥがアップリンクスケジューリンリクエストを開始する場合、前記ＵＥは、プライマリーセルにハンドオーバーしてＤ−ＳＲを開始し、プライマリーセルのアップリンク伝送キャリアをアップリンク伝送のプライマリー・コンポーネント・キャリアとするステップ
をさらに備えることを特徴とする請求項１２に記載のアップリンク伝送のプライマリー・コンポーネント・キャリアのハンドオーバー方法。
【請求項１５】
選択されていないアップリンク伝送キャリアについて、前記方法は、
前記ＵＥが、前記アップリンク伝送キャリアの全部の割り当てリソースを維持するステップと、
前記ＵＥが、前記アップリンク伝送キャリアにおける全部の伝送を停止するステップと、
前記ＵＥが、前記アップリンク伝送キャリアに対応するＨＡＲＱバッファーを除去し、前記アップリンク伝送キャリアに対応するアップリンク許可情報を除去するステップと、
前記ＵＥが、媒体アクセス制御（ＭＡＣ）アップリンクと関連するコンテキストをリセットするステップとのうちのいずれかのステップまたはこれらのステップの任意の組み合わせ
を備えることを特徴とする請求項８ないし請求項１４のいずれか１項に記載のアップリンク伝送のプライマリー・コンポーネント・キャリアのハンドオーバー方法。
【請求項１６】
前記方法は、
前記ＵＥが、目下、プライマリー対応のセルのアップリンク伝送キャリアを選択してアップリンク伝送のプライマリー・コンポーネント・キャリアとすれば、前記ＵＥがネットワーク側からセカンダリセルを活性化する命令を受信した場合、前記ＵＥは、前記セカンダリセルのダウンリンク伝送リソースのみを活性化するステップと、
前記ＵＥが、目下、セカンダリ対応のセルのアップリンク伝送キャリアを選択してアップリンク伝送のプライマリー・コンポーネント・キャリアとする場合、前記ＵＥがネットワーク側からセカンダリセルを非活性化する命令を受信した場合、前記ＵＥは、前記セカンダリセルのアップリンク伝送リソースのみを非活性化し、プライマリー対応のセルのアップリンク伝送キャリアをアップリンク伝送のプライマリー・コンポーネント・キャリアとするステップと
を備えることを特徴とする請求項８ないし請求項１４のいずれか１項に記載のアップリンク伝送のプライマリー・コンポーネント・キャリアのハンドオーバー方法。
【請求項１７】
前記ＵＥが、ネットワーク側から通知された、前記ＵＥにサービスを提供するためのセル集合の伝送リソースを獲得する前、前記方法は、
前記ＵＥは、アップリンク伝送のプライマリー・コンポーネント・キャリアのハンドオーバー容量をサポートする前記ＵＥの容量情報を、ネットワーク側に報告するステップ
をさらに備えることを特徴とする請求項８ないし請求項１４のいずれか１項に記載のアップリンク伝送のプライマリー・コンポーネント・キャリアのハンドオーバー方法。
【請求項１８】
前記ＵＥがｎタイミングにおいて、アップリンク伝送する必要があるプライマリー・コンポーネント・キャリアのハンドオーバーを決定すれば、ｎ＋ｋタイミングにおいて、新しいアップリンク伝送のプライマリー・コンポーネント・キャリアが発効され、ここで、k>=０であり、前記ＵＥは、ｎタイミングまたはｎ＋ｋタイミングにおいて、最初のアップリンク伝送のプライマリー・コンポーネント・キャリアにおける伝送を停止する
ことを特徴とする請求項８ないし請求項１４のいずれか１項に記載のアップリンク伝送のプライマリー・コンポーネント・キャリアのハンドオーバー方法。
【国際調査報告】
2017526301.tif 000010
2017526301.tif 000011
2017526301.tif 000012
2017526301.tif 000013